(57)【要約】【課題】印刷指示が複数回あった場合でも、人の離脱を検知する距離を第１の距離としたまま、印刷指示をまとめて行うことができる。【解決手段】印刷装置は、人を検知する検知手段と、撮像手段と、撮像用照明手段と、無線通信の送信先として本印刷装置を特定するための特定情報を、前記撮像用照明手段を用いて、可視光通信によって送信する送信手段と、携帯情報処理装置から、前記特定情報にしたがった前記無線通信によって印刷指示を受信する受信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする。【選択図】図１
2018079682.tif 000002
【特許請求の範囲】
【請求項１】
人を検知する検知手段と、
撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置。
【請求項２】
人を検知する検知手段と、
無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置。
【請求項３】
人を検知する検知手段と、
無線通信の送信先として本印刷装置を特定するための特定情報を、可視光通信によって送信する送信手段と、
携帯情報処理装置から、前記特定情報にしたがった前記無線通信によって印刷指示を受信する受信手段
を有し、
前記検知手段が人の所在を検知した場合、低消費電力モードを維持したまま、前記送信手段は可視光通信を開始し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置。
【請求項４】
撮像手段と、
撮像用照明手段
をさらに有し、
前記送信手段は、前記撮像用照明手段を用いて、可視光通信による送信を行う、
請求項３に記載の印刷装置。
【請求項５】
前記撮像手段は、人の接近を検知するための検知用撮像手段又は顔を撮像するための顔撮像手段であり、
前記撮像用照明手段は、人の接近を検知するための検知用照明手段又は顔を撮像するための顔撮像用照明手段であり、前記検知用撮像手段又は前記顔撮像手段のいずれかの近傍に存在する、
請求項１又は４に記載の印刷装置。
【請求項６】
前記受信手段が印刷指示を受信した場合、前記送信手段は、可視光通信のための発光を停止する、
請求項１から５のいずれか一項に記載の印刷装置。
【請求項７】
人を検知する検知手段と、
無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置。
【請求項８】
前記携帯情報処理装置から、前記特定情報にしたがった前記無線通信によって印刷指示を受信する受信手段
をさらに有し、
前記受信手段が印刷指示を受信した場合、前記送信手段は、可視光通信のための発光を停止する、
請求項７に記載の印刷装置。
【請求項９】
前記携帯情報処理装置から可視光通信によって、本印刷装置を特定するための情報の送信指示を受信した場合、前記送信手段は可視光通信を開始する、
請求項１から８のいずれか一項に記載の印刷装置。
【請求項１０】
前記送信手段は、可視光通信によって、本印刷装置の特性又は状態を送信する、
請求項１から９のいずれか一項に記載の印刷装置。
【請求項１１】
前記印刷指示と、可視光通信によって印刷装置を特定するための情報を受信したことによって前記無線通信を行っていることを示す情報を受信した場合に、該印刷指示にしたがって印刷するように制御する制御手段
をさらに有する請求項１から１０のいずれか一項に記載の印刷装置。
【請求項１２】
前記印刷指示と、可視光通信によって印刷装置を特定するための情報を受信したことによって前記無線通信を行っていることを示す情報を受信した場合に、前記可視光通信の送信を停止し、前記印刷指示と、前記無線通信を行っていることを示す情報を受信しない場合に、前記可視光通信の送信を停止しないように制御する通信制御手段
をさらに有する請求項１から１１のいずれか一項に記載の印刷装置。
【請求項１３】
予め定められた時間内に前記印刷指示を受信しなかった場合、前記可視光通信の動作を停止させ、印刷指示を受けなかった旨を提示する第２の提示手段
をさらに有する請求項１から１２のいずれか一項に記載の印刷装置。
【請求項１４】
前記無線通信は、可視光通信とは異なる通信である、
請求項１から１３のいずれか一項に記載の印刷装置。
【請求項１５】
人を検知する検知手段と、
撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【請求項１６】
人を検知する検知手段と、
無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【請求項１７】
人を検知する検知手段と、
無線通信の送信先として本印刷装置を特定するための特定情報を、可視光通信によって送信する送信手段と、
携帯情報処理装置から、前記特定情報にしたがった前記無線通信によって印刷指示を受信する受信手段
を有し、
前記検知手段が人の所在を検知した場合、低消費電力モードを維持したまま、前記送信手段は可視光通信を開始し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【請求項１８】
人を検知する検知手段と、
無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置と、
前記印刷装置から、可視光通信によって前記特定情報を受信する受信手段
を有する携帯情報処理装置
を具備する印刷システム。
【請求項１９】
無線通信の送信先として印刷装置を特定するための特定情報を、可視光通信によって受信する第１受信手段と、
前記特定情報を、前記無線通信によって受信する第２受信手段と、
前記第１受信手段で前記特定情報を受信した場合、前記無線通信の送信先として印刷装置を選択するための選択リストに受信した前記特定情報を追加しないリスト管理手段
を有する携帯情報処理装置と、
人を検知する検知手段と、
無線通信の送信先として本印刷装置を特定するための特定情報を、可視光通信によって送信する送信手段
を有し、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷装置
を具備する印刷システム。
【請求項２０】
検知手段と撮像手段と撮像用照明手段と送信手段と受信手段を有する印刷装置であるコンピュータに、
人を検知することを前記検知手段に行わせることと、
無線通信の送信先として本印刷装置を特定するための特定情報を、前記撮像用照明手段を用いて、可視光通信によって送信することを前記送信手段に行わせることと、
携帯情報処理装置から、前記特定情報にしたがった前記無線通信によって印刷指示を受信することを前記受信手段に行わせること
を実行させ、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷処理プログラム。
【請求項２１】
検知手段と送信手段と受信手段を有する印刷装置であるコンピュータに、
人を検知することを前記検知手段に行わせることと、
無線通信の送信先として本印刷装置を特定するための特定情報を、低消費電力モードを維持したまま、可視光通信によって送信することを前記送信手段に行わせることと、
携帯情報処理装置から、前記特定情報にしたがった前記無線通信によって印刷指示を受信することを前記受信手段に行わせること
を実行させ、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷処理プログラム。
【請求項２２】
検知手段と送信手段と受信手段を有する印刷装置であるコンピュータに、
人を検知することを前記検知手段に行わせることと、
無線通信の送信先として本印刷装置を特定するための特定情報を、可視光通信によって送信することを前記送信手段に行わせることと、
携帯情報処理装置から、前記特定情報にしたがった前記無線通信によって印刷指示を受信することを前記受信手段に行わせること
を実行させ、
前記検知手段が人の所在を検知した場合、低消費電力モードを維持したまま、前記送信手段に可視光通信を開始させ、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷処理プログラム。
【請求項２３】
検知手段と送信手段と提示手段を有する印刷装置であるコンピュータに、
人を検知することを前記検知手段に行わせることと、
無線通信の送信先として本印刷装置を特定するための特定情報を、可視光通信によって携帯情報処理装置の受光部に送信することを前記送信手段に行わせることと、
前記可視光通信によって前記特定情報を前記携帯情報処理装置に送信する場合は、ユーザーが可視光を前記携帯情報処理装置の受光部に当てる動作の示唆を提示することを前記提示手段に行わせること
を実行させ、
前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、
印刷処理プログラム。
【発明の詳細な説明】
【技術分野】
【０００１】
本発明は、印刷装置、印刷システム及び印刷処理プログラムに関する。
【背景技術】
【０００２】
特許文献１には、少なくも撮像機能を備えた検出手段を含み、動作中の消費電力及び動作仕様が相互に異なる複数種類の検出手段を用いて、省エネ性及び利便性の向上を両立させることを課題とし、画像処理装置に、検出領域Ｆの人感センサー、検出領域Ｒのアクセスカメラ、検出領域Ｌａの認識カメラを併設し、スリープモード中の使用者の画像処理装置の接近形態に対して、相互に連携し、必要最小限の電力供給で、当該使用者が画像処理装置のＵＩタッチパネルに対峙するまでの間に、必要なデバイスへの電力供給、並びに、処理可能状態とすることを確立し、また、アクセスカメラの検出領域Ｒは、人感センサーの検出領域Ｆよりも広くしたため、人感センサーにより移動体を検出した後、使用者が人感センサーの検出死角に移動しても、当該使用者の動向を確実に認識（移動方向の予測）可能であることが開示されている。
【０００３】
特許文献２には、印刷出力先の画像形成装置として複数の候補がある場合において、印刷出力先としてユーザーが所望する画像形成装置と、実際に印刷出力が行われる画像形成装置との対応付けを容易に行うことができる画像形成装置、携帯端末装置、情報処理装置、画像形成システム及びプログラムを提供することを課題とし、画像形成装置は、ＵＩ装置と、印刷装置と、ＵＩ装置に認証情報を表示するよう制御する表示制御部と、ＵＩ装置に表示された認証情報と、予め定められた範囲内に存在する携帯端末装置が取得した取得情報とが予め定められた関係を満たした場合に、受信した画像データを前記印刷手段により印刷するよう制御する印刷制御部とを有することが開示されている。
【０００４】
特許文献３には、消費電力が低く、かつ、利便性が高い画像形成システムを提供することを課題とし、携帯端末は、アプリケーションを起動し、ＭＦＰの発光部からの可視光をカメラで受光してＭＦＰのステータス情報を得ることで、拡張現実表示を行うことができ、ＭＦＰの動作モードが省電力モードに移行した場合において、携帯端末でアプリケーションが起動されると、アプリケーションは、携帯端末の情報取得部の機能を利用し、情報取得部は、構内情報通信網などのネットワークを介して、ＭＦＰに対して発光通信開始依頼を送信し、ＭＦＰでは、可視光通信についての制御を行う送信制御部が、発光通信開始依頼に応じて、発光部を点灯させ、携帯端末との間で可視光通信を実行させることが開示されている。
【０００５】
特許文献４には、スキャナユニットを用いて、物理的に接続することなく、データの設定を行うことが可能なデータ設定システムを提供することを課題とし、複合機が、画像読取部を用いて外部の光信号を受信する光通信受信手段と、前記受信された光信号に対応するデータの設定を実行する光通信実行手段とを備え、通信端末装置が、光照射部を用いてデータの設定に対応する光信号を発信する光通信発信手段を備えることが開示されている。
【０００６】
特許文献５には、通信機器周辺に照射される照明光の光量が変化する環境下でも、複雑な回路や高価な部品を設けることなく、可視光通信を行うことができる可視光通信装置、及びこの装置を備えた画像形成装置を提供することを課題とし、可視光通信装置は、商用交流電源の電圧がゼロであるゼロクロス点の位相を検出するゼロクロス検出部と、ゼロクロス検出部が検出するゼロクロス点に光量が同期し、可視光又はその周辺スペクトル光を用いて通信する可視光通信部と、を備えており、画像形成装置は、上記の可視光通信装置と、可視光通信装置が他の装置と通信するデータに基づいて画像を形成する画像形成部と、を備えていることが開示されている。
【０００７】
特許文献６には、通信機器同士の通信の安全性を簡単かつ迅速に確保することを課題とし、デジタルカメラの通信設定情報生成部は、第２ＤＳＣ側通信部と第２プリンタ側通信部との通信の成立に必要な通信設定情報を生成し、デジタルカメラの第１ＤＳＣ側通信部は、生成された通信設定情報を、プリンタに送信し、プリンタの第１プリンタ側通信部は、第１ＤＳＣ側通信部の送信した通信設定情報を受信し、プリンタの通信設定部は、第１プリンタ側通信部の受信した通信設定情報に基づき、第２ＤＳＣ側通信部との通信成立に必要な情報を第２プリンタ側通信部に設定し、デジタルカメラの第２ＤＳＣ側通信部とプリンタの第２プリンタ側通信部とは、共通の通信設定情報によって通信を成立させることが開示されている。
【０００８】
特許文献７には、装置の属するサブネットワークに関係なく、他の装置との一過性の装置間通信を行う場合、装置のモデル名などを知らないユーザーなどでは手間がかかってしまっていたことを課題とし、電源ＯＮを発光により示す発光部を備え、自装置の電源が入っているときに発光部からの発光信号により、自装置のアドレス情報を繰り返し出力するよう制御手段が上記発光部による発光を制御することが開示されている。
【０００９】
特許文献８には、利用者にとって起動時のストレスを緩和することができ、かつ、無駄な電力を消費しにくいインクジェットプリンタを提供することを課題とし、プリンタは、記録ヘッドとインク供給装置とヘッド駆動装置とを含む動作部と、動作部に印刷初期動作を行わせる初期動作制御装置と、印刷モードと待機モードとを切り換えるモード切換装置と、モード切換装置に対して印刷モード又は待機モードを指示するモード切換スイッチと、利用者によりモード切換スイッチが操作されること以外の状況であって、利用者が印刷を開始することが想定される状況として予め定められた所定の利用開始状況であるか否かを判定する判定装置とを備えており、初期動作制御装置は、待機モードのときに判定装置が利用開始状況と判定すると、動作部に印刷初期動作を行わせるように構成されていることが開示されている。
【００１０】
特許文献９には、印刷装置と端末装置との間でコネクションを確立する場合、上記検出動作を必要としない印刷システムを提供することを課題とし、印刷装置が、印刷装置の固有の識別情報を保持し、また、端末装置が近傍に存在しているときに、上記識別情報を送信し、一方、印刷装置と接続するインタフェース手段を端末装置が具備し、端末装置が、印刷装置が送信した識別情報を受信し、受信した識別情報を解析し、この解析した結果に応じて、インタフェース手段を選択する印刷システムであることが開示されている。
【００１１】
特許文献１０には、複数の通信無線通信を利用して画像処理装置にデータを送信した後に、該画像処理装置と接続するための接続情報を削除することにより、高速データ通信の実現とセキュリティの確保を可能とする情報処理装置を提供することを課題とし、情報処理装置は、第１の無線通信規格である第１の無線通信で画像処理装置と通信するための接続情報を、第２の無線通信規格である第２の無線通信で取得し、第１の無線通信で印刷データを画像処理装置に送信し、印刷データを画像処理装置に送信した後に接続情報を削除するように制御することが開示されている。
【００１２】
特許文献１１には、コンテンツサーバからコンテンツを提供する際に、コンテンツのトレーサビリティの確保や不正な複製の防止を実現可能とすることを課題とし、携帯電話の制御部は、プリンタからプリンタを一意に識別可能なプリンタＩＤを取得し、取得したプリンタＩＤと携帯電話の携帯電話ＩＤとをサーバに送信し、サーバからプリンタＩＤや携帯電話ＩＤが合成された合成データを受信して、受信した合成データをプリンタに送信して印刷させることが開示されている。
【００１３】
特許文献１２には、無線通信の送受信能力や印刷装置の処理能力に応じて適切に印刷装置を制御して印刷を行うことを課題とし、着脱可能なメモリに記録したデータを印刷装置に印刷させる第一の設定と、印刷装置にデータを無線送信して印刷させる第二の設定と、を少なくとも含む設定のいずれかを選択する入力を受け付け、第一の設定が選択されたときには印刷対象として選択操作された複数の画像のデータを着脱可能に取り付けられたメモリに対して別個に記録しておき、第二の設定が選択されたときには複数の画像を合成して該合成した画像のデータを印刷装置へ無線送信可能に画像送信装置を構成し、印刷装置及び画像送信装置の印刷処理に関する処理能力を表す情報に基づいて画像の合成を画像送信装置で行うか否かを判断し、画像の合成を画像送信装置で行うと判断したときのみ画像を合成してもよいことが開示されている。
【００１４】
特許文献１３には、ＰＣ等を介すことなく、携帯端末との間で画像データの送信及び受信の少なくともいずれかを可能にすることができる表示制御装置を提供することを課題とし、表示制御装置は、画像データを表示装置に表示する制御を行うもので、画像を読み取るイメージセンサーと、携帯端末から送信された画像データを受信する受信機能、及びイメージセンサーにより読み取られた画像データを携帯端末に送信する送信機能を有する赤外線通信モジュールと、表示装置に画像データを出力するビデオ信号発生器と、を備えることが開示されている。
【００１５】
特許文献１４には、可視光の広大な帯域を有効利用ができ、マルチパスに強く、多重化に向いた方式と、通信性能に影響の大きい可視光受光部の構造と、通信プロトコルの通信要素を限定しない通信方式とを実現する可視光通信専用モデムを提供することを課題とし、可視光通信専用モデムにＯＦＤＭ変調方式、反射型受信部を採用し、インターネット通信、音声通信、動画通信及び各種プロトコル対応可能な１対１、１対ｎ、ｎ対ｎの可視光通信を行うことが開示されている。
【００１６】
特許文献１５には、車両の故障に関する情報を車両の外部に連絡するための車両の通信装置において、車両側通信機として携帯電話機を利用する場合に携帯電話機を体から離して車体側に装着しなくても済むようにすることを課題とし、車両の故障を検出する故障検出手段から車両の故障に関する情報を受け取り、車室内に存在する赤外線通信機能を具備する携帯電話機へ赤外線投光部から赤外線を投光することにより、受け取った前記情報を前記携帯電話機へ赤外線通信を用いて無線送信する無線通信手段を備えることが開示されている。
【００１７】
特許文献１６には、撮像画像から複数の対象物を検知する際に、必要な精度の検知結果を得ることができる外界認識装置を得ることを課題とし、外界認識装置は、画像を画像処理する複数の処理部と、複数の処理部の少なくとも１つの処理部によって処理されることにより対象物を認識する認識アプリケーションを対象物の種類別に複数格納する認識アプリケーション格納部と、外部環境情報又は自車挙動情報の少なくとも一方を含む外部情報を取得する外部情報取得部と、外部情報に基づいて認識アプリケーション格納部から少なくとも１つの認識アプリケーションを選択し、選択された認識アプリケーションを処理するための処理部を複数の処理部の中から選択する選択部を有することが開示されている。
【００１８】
特許文献１７には、正常な処理完了を確認するための通信をさせなければならなかったことを課題とし、印刷データ送信部がプリンタに印刷データを送信し、通信催促部が液晶ディスプレイにてプリンタとの通信を促す画面（通信催促画面）の表示を行い、この通信催促画面を表示しつつ、赤外線通信部が赤外線を通じて外部の機器を探索し、これにより、ユーザーに通信の必要性を認識させ、確実に赤外線での接続をさせることができることが開示されている。
【００１９】
特許文献１８には、カメラが装着された無線端末機において、カメラ機能のために使用されるＬＥＤ及びカメラセンサーを、可視光線近距離通信のためのインタフェース装置として使用できるようにすることを課題とし、無線端末機は、光を供給するためのＬＥＤ部と、該ＬＥＤ部の動作を制御するためのＬＥＤドライバーと、光信号を感知して電気信号に変換して伝達するカメラセンサー部と、を含み、さらに、可視光線近距離通信を通じて送信するデータ、及び可視光線近距離通信を通じて受信されるデータ、を処理するデータ処理部と、該データ処理部を通じて伝達された前記送信するデータを光無線通信方式に適合した電気信号に変調して前記ＬＥＤドライバーに伝達する変調部と、カメラセンサー部から伝達を受けた電気信号を前記光無線通信方式によるデータに復調してデータ処理部に伝達する復調部と、を含むことが開示されている。
【００２０】
特許文献１９には、人間に対して光を直接視認させるための表示手段に用いられているＬＥＤなどの半導体発光素子を、装置間の通信に利用することを課題とし、ＬＥＤは、電気機器に従来より設けられている表示のためのＬＥＤ光源であり、このＬＥＤを発光させる際に、制御部によって情報にしたがってＬＥＤの点滅あるいは発光量を制御し、ＬＥＤの発光光を変調して情報を送信し、この変調光を受信機の受光部で受光し、復調部で復調することによって、電気機器から送られてきた情報を受信することができ、受光部に光学系を設け、受光ビームを絞れば、他の電気機器からの光に影響されずに、特定の電気機器からの情報のみを受信することができ、また、受信機側に発光部を、電気機器側に受光部を設けておけば、双方向の通信も可能であることが開示されている。
【００２１】
特許文献２０には、携帯端末に保存された画像データを容易に種々の映像と合成してシール用紙に印刷でき、様々なバリエーションのシールを作成し楽しむことができるプリントシステム及びプリント方法を提供することを課題とし、携帯端末から赤外線データ送信された画像データを受信する赤外線データ送受信手段と、赤外線データ送受信手段により受信した画像データを表示する画像データ表示手段と、画像データ表示手段により表示された画像データを、利用者の指示にしたがって予め保存・蓄積されている任意の画像データと組み合わせ、画像データを編集する画像データ編集手段と、画像データ編集手段により編集された画像データを印刷する印刷手段とを備えることが開示されている。
【００２２】
特許文献２１には、光の通信路を容易に確立し高速な光無線通信を行うことができる通信情報端末を提供することを課題とし、携帯電話の撮像部が撮像光を受光し処理する機能と通信相手のＰＣからの通信光を受光し処理する機能とを有し、撮像部によってＰＣを撮像し、表示部で確認しながら光無線通信を行うことが開示されている。
【００２３】
特許文献２２には、通信装置と１対１の無線接続関係を確立する際に、操作者が相手の通信装置の選択を、相手の通信装置のアドレスや拡散符号を事前に知ることなく、視覚的観察に基づいて実行できる近距離スペクトラム拡散無線通信システム並びにその装置を提供することを課題とし、一方の無線通信装置が、送信に用いる拡散符号か若しくは他方の無線通信装置が送信に用いる拡散符号のうちの少なくとも一方の拡散符号を、光信号により他方の無線通信装置に対して通知し、スペクトラム拡散無線通信装置は、赤外光線を照射する発光ダイオードをもつ光信号出射部とフオトダイオードをもつ受光部が具備されていて、この無線通信装置から他方の無線通信装置に向けて送出される光信号の指向性が、他方の無線通信装置の近隣の他の無線通信装置の受光部に受信されることなく、選択的に他の無線通信装置により受信されるように設定されることが開示されている。
【００２４】
特許文献２３には、容易に通信時の位置合わせを行うことができ、通信の確実性の向上を図ることができる近距離無線通信装置を提供することを課題とし、通信電波が所定範囲の指向性を有する近距離無線通信手段と、通信状態を操作する操作手段と、を備えた近距離無線通信装置であって、近距離無線通信手段にて通信を行う際に少なくとも通信電波の照射方向を含む画像を取得する画像取得手段と、この取得された画像を表示する表示手段と、を備えたことが開示されている。
【００２５】
特許文献２４には、可視光通信装置であって、レンズを搭載し映像を撮影する装置であり、撮影した映像をデジタルデータとして記憶する装置（以降、デジタル撮像装置とする）で可視光通信を可能にし、さらにデジタル撮像装置の撮影対象確認部から可視光線の受光状態を確認できる可視光通信装置を提供することを課題とし、デジタル撮像装置に搭載され、可視光線の受光素子と発光素子の２つの素子を装備し、可視光通信を可能にすることが開示されている。
【先行技術文献】
【特許文献】
【００２６】
【特許文献１】特開２０１４−０９８８９４号公報
【特許文献２】特開２０１４−１８０７９２号公報
【特許文献３】特開２０１４−１５０４７４号公報
【特許文献４】特開２０１５−１２６５０４号公報
【特許文献５】特開２０１４−００７６２４号公報
【特許文献６】特開２００７−１８９３４８号公報
【特許文献７】特開２０１０−１１４４９２号公報
【特許文献８】特開２０１５−０２４６２６号公報
【特許文献９】特開２００７−１６４４００号公報
【特許文献１０】特開２０１５−２１０５９７号公報
【特許文献１１】特開２００８−１８６１６１号公報
【特許文献１２】特開２００８−０４０８０７号公報
【特許文献１３】特開２００９−００５０７９号公報
【特許文献１４】特開２０１０−１３０６０３号公報
【特許文献１５】特開２００９−２８６１６１号公報
【特許文献１６】特開２０１５−２１０５９２号公報
【特許文献１７】特開２００８−１８６４０２号公報
【特許文献１８】特開２００５−３４１５９５号公報
【特許文献１９】特開２００４−２４８１２８号公報
【特許文献２０】特許第３４８０７３４号公報
【特許文献２１】特開２００６−１６６３７３号公報
【特許文献２２】特開２００３−２３５０８１号公報
【特許文献２３】特開２００７−０５３４２４号公報
【特許文献２４】特開２００８−２４５２３１号公報
【発明の概要】
【発明が解決しようとする課題】
【００２７】
携帯情報処理装置から印刷指示を行って、印刷装置で印刷を行うことが行われている。
ところで、印刷装置には撮像用照明部を備えているものがある。この印刷装置が可視光通信を行うためには、撮像用照明部と可視光通信の発光部の両方の装置を備えている必要がある。
本発明は、印刷装置を特定するための情報を送信するために、その印刷装置の撮像用照明部が可視光通信の発光部を兼ね、さらに、印刷指示が複数回あった場合でも、人の離脱を検知する距離を第１の距離としたまま、印刷指示をまとめて行うことができる印刷装置、印刷システム及び印刷処理プログラムを提供することを目的としている。
【課題を解決するための手段】
【００２８】
かかる目的を達成するための本発明の要旨とするところは、次の各項の発明に存する。
請求項１の発明は、人を検知する検知手段と、撮像手段と、撮像用照明手段と、無線通信の送信先として本印刷装置を特定するための特定情報を、前記撮像用照明手段を用いて、可視光通信によって送信する送信手段と、携帯情報処理装置から、前記特定情報にしたがった前記無線通信によって印刷指示を受信する受信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置である。
【００２９】
請求項２の発明は、人を検知する検知手段と、無線通信の送信先として本印刷装置を特定するための特定情報を、低消費電力モードを維持したまま、可視光通信によって送信する送信手段と、携帯情報処理装置から、前記特定情報にしたがった前記無線通信によって印刷指示を受信する受信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置である。
【００３０】
請求項３の発明は、人を検知する検知手段と、無線通信の送信先として本印刷装置を特定するための特定情報を、可視光通信によって送信する送信手段と、携帯情報処理装置から、前記特定情報にしたがった前記無線通信によって印刷指示を受信する受信手段を有し、前記検知手段が人の所在を検知した場合、低消費電力モードを維持したまま、前記送信手段は可視光通信を開始し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置である。
【００３１】
請求項４の発明は、撮像手段と、撮像用照明手段をさらに有し、前記送信手段は、前記撮像用照明手段を用いて、可視光通信による送信を行う、請求項３に記載の印刷装置である。
【００３２】
請求項５の発明は、前記撮像手段は、人の接近を検知するための検知用撮像手段又は顔を撮像するための顔撮像手段であり、前記撮像用照明手段は、人の接近を検知するための検知用照明手段又は顔を撮像するための顔撮像用照明手段であり、前記検知用撮像手段又は前記顔撮像手段のいずれかの近傍に存在する、請求項１又は４に記載の印刷装置である。
【００３３】
請求項６の発明は、前記受信手段が印刷指示を受信した場合、前記送信手段は、可視光通信のための発光を停止する、請求項１から５のいずれか一項に記載の印刷装置である。
【００３４】
請求項７の発明は、人を検知する検知手段と、無線通信の送信先として本印刷装置を特定するための特定情報を、可視光通信によって携帯情報処理装置の受光部に送信する送信手段と、前記可視光通信によって前記特定情報を前記携帯情報処理装置に送信する場合は、ユーザーが可視光を前記携帯情報処理装置の受光部に当てる動作の示唆を提示する提示手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置である。
【００３５】
請求項８の発明は、前記携帯情報処理装置から、前記特定情報にしたがった前記無線通信によって印刷指示を受信する受信手段をさらに有し、前記受信手段が印刷指示を受信した場合、前記送信手段は、可視光通信のための発光を停止する、請求項７に記載の印刷装置である。
【００３６】
請求項９の発明は、前記携帯情報処理装置から可視光通信によって、本印刷装置を特定するための情報の送信指示を受信した場合、前記送信手段は可視光通信を開始する、請求項１から８のいずれか一項に記載の印刷装置である。
【００３７】
請求項１０の発明は、前記送信手段は、可視光通信によって、本印刷装置の特性又は状態を送信する、請求項１から９のいずれか一項に記載の印刷装置である。
【００３８】
請求項１１の発明は、前記印刷指示と、可視光通信によって印刷装置を特定するための情報を受信したことによって前記無線通信を行っていることを示す情報を受信した場合に、該印刷指示にしたがって印刷するように制御する制御手段をさらに有する請求項１から１０のいずれか一項に記載の印刷装置である。
【００３９】
請求項１２の発明は、前記印刷指示と、可視光通信によって印刷装置を特定するための情報を受信したことによって前記無線通信を行っていることを示す情報を受信した場合に、前記可視光通信の送信を停止し、前記印刷指示と、前記無線通信を行っていることを示す情報を受信しない場合に、前記可視光通信の送信を停止しないように制御する通信制御手段をさらに有する請求項１から１１のいずれか一項に記載の印刷装置である。
【００４０】
請求項１３の発明は、予め定められた時間内に前記印刷指示を受信しなかった場合、前記可視光通信の動作を停止させ、印刷指示を受けなかった旨を提示する第２の提示手段をさらに有する請求項１から１２のいずれか一項に記載の印刷装置である。
【００４１】
請求項１４の発明は、前記無線通信は、可視光通信とは異なる通信である、請求項１から１３のいずれか一項に記載の印刷装置である。
【００４２】
請求項１５の発明は、人を検知する検知手段と、撮像手段と、撮像用照明手段と、無線通信の送信先として本印刷装置を特定するための特定情報を、前記撮像用照明手段を用いて、可視光通信によって送信する送信手段と、携帯情報処理装置から、前記特定情報にしたがった前記無線通信によって印刷指示を受信する受信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置と、前記印刷装置から、可視光通信によって前記特定情報を受信する受信手段と、前記特定情報にしたがった前記無線通信によって印刷指示を送信する送信手段を有する携帯情報処理装置を具備する印刷システムである。
【００４３】
請求項１６の発明は、人を検知する検知手段と、無線通信の送信先として本印刷装置を特定するための特定情報を、低消費電力モードを維持したまま、可視光通信によって送信する送信手段と、携帯情報処理装置から、前記特定情報にしたがった前記無線通信によって印刷指示を受信する受信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置と、前記印刷装置から、可視光通信によって前記特定情報を受信する受信手段と、前記特定情報にしたがった前記無線通信によって印刷指示を送信する送信手段を有する携帯情報処理装置を具備する印刷システムである。
【００４４】
請求項１７の発明は、人を検知する検知手段と、無線通信の送信先として本印刷装置を特定するための特定情報を、可視光通信によって送信する送信手段と、携帯情報処理装置から、前記特定情報にしたがった前記無線通信によって印刷指示を受信する受信手段を有し、前記検知手段が人の所在を検知した場合、低消費電力モードを維持したまま、前記送信手段は可視光通信を開始し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置と、前記印刷装置から、可視光通信によって前記特定情報を受信する受信手段と、前記特定情報にしたがった前記無線通信によって印刷指示を送信する送信手段を有する携帯情報処理装置を具備する印刷システムである。
【００４５】
請求項１８の発明は、人を検知する検知手段と、無線通信の送信先として本印刷装置を特定するための特定情報を、可視光通信によって携帯情報処理装置の受光部に送信する送信手段と、前記可視光通信によって前記特定情報を前記携帯情報処理装置に送信する場合は、ユーザーが可視光を前記携帯情報処理装置の受光部に当てる動作の示唆を提示する提示手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置と、前記印刷装置から、可視光通信によって前記特定情報を受信する受信手段を有する携帯情報処理装置を具備する印刷システムである。
【００４６】
請求項１９の発明は、無線通信の送信先として印刷装置を特定するための特定情報を、可視光通信によって受信する第１受信手段と、前記特定情報を、前記無線通信によって受信する第２受信手段と、前記第１受信手段で前記特定情報を受信した場合、前記無線通信の送信先として印刷装置を選択するための選択リストに受信した前記特定情報を追加しないリスト管理手段を有する携帯情報処理装置と、人を検知する検知手段と、無線通信の送信先として本印刷装置を特定するための特定情報を、可視光通信によって送信する送信手段を有し、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷装置を具備する印刷システムである。
【００４７】
請求項２０の発明は、検知手段と撮像手段と撮像用照明手段と送信手段と受信手段を有する印刷装置であるコンピュータに、人を検知することを前記検知手段に行わせることと、無線通信の送信先として本印刷装置を特定するための特定情報を、前記撮像用照明手段を用いて、可視光通信によって送信することを前記送信手段に行わせることと、携帯情報処理装置から、前記特定情報にしたがった前記無線通信によって印刷指示を受信することを前記受信手段に行わせることを実行させ、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷処理プログラムである。
【００４８】
請求項２１の発明は、検知手段と送信手段と受信手段を有する印刷装置であるコンピュータに、人を検知することを前記検知手段に行わせることと、無線通信の送信先として本印刷装置を特定するための特定情報を、低消費電力モードを維持したまま、可視光通信によって送信することを前記送信手段に行わせることと、携帯情報処理装置から、前記特定情報にしたがった前記無線通信によって印刷指示を受信することを前記受信手段に行わせることを実行させ、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷処理プログラムである。
【００４９】
請求項２２の発明は、検知手段と送信手段と受信手段を有する印刷装置であるコンピュータに、人を検知することを前記検知手段に行わせることと、無線通信の送信先として本印刷装置を特定するための特定情報を、可視光通信によって送信することを前記送信手段に行わせることと、携帯情報処理装置から、前記特定情報にしたがった前記無線通信によって印刷指示を受信することを前記受信手段に行わせることを実行させ、前記検知手段が人の所在を検知した場合、低消費電力モードを維持したまま、前記送信手段に可視光通信を開始させ、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷処理プログラムである。
【００５０】
請求項２３の発明は、検知手段と送信手段と提示手段を有する印刷装置であるコンピュータに、人を検知することを前記検知手段に行わせることと、無線通信の送信先として本印刷装置を特定するための特定情報を、可視光通信によって携帯情報処理装置の受光部に送信することを前記送信手段に行わせることと、前記可視光通信によって前記特定情報を前記携帯情報処理装置に送信する場合は、ユーザーが可視光を前記携帯情報処理装置の受光部に当てる動作の示唆を提示することを前記提示手段に行わせることを実行させ、前記検知手段が人の離脱を検知する距離を、印刷指示があった後から予め定められた期間内を第１の距離とし、該期間後を第２の距離とし、該期間内に複数の印刷指示があった場合は、最後の印刷指示があった後から予め定められた期間内を第１の距離とする、印刷処理プログラムである。
【発明の効果】
【００５１】
請求項１の印刷装置によれば、印刷装置を特定するための情報を送信するために、その印刷装置の撮像用照明部が可視光通信の発光部を兼ね、さらに、印刷指示が複数回あった場合でも、人の離脱を検知する距離を第１の距離としたまま、印刷指示をまとめて行うことができる。
【００５２】
請求項２の印刷装置によれば、低消費電力モードを解除する場合に比べて、消費電力を低くし、さらに、印刷指示が複数回あった場合でも、人の離脱を検知する距離を第１の距離としたまま、印刷指示をまとめて行うことができる。
【００５３】
請求項３の印刷装置によれば、低消費電力モードを解除する場合に比べて、消費電力を低くし、さらに、印刷指示が複数回あった場合でも、人の離脱を検知する距離を第１の距離としたまま、印刷指示をまとめて行うことができる。
【００５４】
請求項４の印刷装置によれば、印刷装置を特定するための情報を送信するために、印刷装置の撮像用照明部が可視光通信の発光部を兼ねることができる。
【００５５】
請求項５の印刷装置によれば、撮像手段として、検知用撮像手段又は顔撮像手段を用いることができる。
【００５６】
請求項６の印刷装置によれば、発光を停止しない場合に比べて、消費電力を低くすることができる。
【００５７】
請求項７の印刷装置によれば、可視光通信によって送信する際に、ユーザーは実施すべき動作がわかりやすくなり、さらに、印刷指示が複数回あった場合でも、人の離脱を検知する距離を第１の距離としたまま、印刷指示をまとめて行うことができる。
【００５８】
請求項８の印刷装置によれば、発光を停止しない場合に比べて、消費電力を低くすることができる。
【００５９】
請求項９の印刷装置によれば、携帯情報処理装置から可視光通信によって、本印刷装置を特定するための情報の送信指示を受信した場合、可視光通信を開始することができる。
【００６０】
請求項１０の印刷装置によれば、可視光通信によって、本印刷装置の特性又は状態を送信することができる。
【００６１】
請求項１１の印刷装置によれば、印刷指示とともに、可視光通信によって印刷装置を特定するための情報を受信したことによって通信を行っていることを示す情報を受信した場合に、その印刷指示にしたがって印刷するように制御することができる。
【００６２】
請求項１２の印刷装置によれば、印刷指示とともに、可視光通信によって印刷装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【００６３】
請求項１３の印刷装置によれば、可視光通信によって、本印刷装置と通信を行うための印刷装置を特定するための情報を送信することができる。
【００６４】
請求項１４の印刷装置によれば、無線通信として、可視光通信とは異なる通信を用いることができる。
【００６５】
請求項１５の印刷システムによれば、印刷装置を特定するための情報を送信するために、印刷装置の撮像用照明部が可視光通信の発光部を兼ねることができ、さらに、印刷指示が複数回あった場合でも、人の離脱を検知する距離を第１の距離としたまま、印刷指示をまとめて行うことができる。
【００６６】
請求項１６の印刷システムによれば、低消費電力モードを解除する場合に比べて、消費電力を低くすることができ、さらに、印刷指示が複数回あった場合でも、人の離脱を検知する距離を第１の距離としたまま、印刷指示をまとめて行うことができる。
【００６７】
請求項１７の印刷システムによれば、低消費電力モードを解除する場合に比べて、消費電力を低くすることができ、さらに、印刷指示が複数回あった場合でも、人の離脱を検知する距離を第１の距離としたまま、印刷指示をまとめて行うことができる。
【００６８】
請求項１８の印刷システムによれば、可視光通信によって送信する際に、ユーザーは実施すべき動作がわかりやすくなり、さらに、印刷指示が複数回あった場合でも、人の離脱を検知する距離を第１の距離としたまま、印刷指示をまとめて行うことができる。
【００６９】
請求項１９の印刷システムによれば、可視光通信によって受信した特定情報を選択リストに含めないようにすることができ、さらに、印刷指示が複数回あった場合でも、人の離脱を検知する距離を第１の距離としたまま、印刷指示をまとめて行うことができる。
【００７０】
請求項２０の印刷処理プログラムによれば、印刷装置を特定するための情報を送信するために、印刷装置の撮像用照明部が可視光通信の発光部を兼ねることができ、さらに、印刷指示が複数回あった場合でも、人の離脱を検知する距離を第１の距離としたまま、印刷指示をまとめて行うことができる。
【００７１】
請求項２１の印刷処理プログラムによれば、低消費電力モードを解除する場合に比べて、消費電力を低くすることができ、さらに、印刷指示が複数回あった場合でも、人の離脱を検知する距離を第１の距離としたまま、印刷指示をまとめて行うことができる。
【００７２】
請求項２２の印刷処理プログラムによれば、低消費電力モードを解除する場合に比べて、消費電力を低くすることができ、さらに、印刷指示が複数回あった場合でも、人の離脱を検知する距離を第１の距離としたまま、印刷指示をまとめて行うことができる。
【００７３】
請求項２３の印刷処理プログラムによれば、可視光通信によって送信する際に、ユーザーは実施すべき動作がわかりやすくなり、印刷指示が複数回あった場合でも、人の離脱を検知する距離を第１の距離としたまま、印刷指示をまとめて行うことができる。
【図面の簡単な説明】
【００７４】
【図１】本実施の形態の構成例についての概念的なモジュール構成図である。
【図２】本実施の形態を利用したシステム構成例を示す説明図である。
【図３】印刷装置の具体例を示す説明図である。
【図４】本実施の形態による処理例を示すフローチャートである。
【図５】本実施の形態による処理例を示すフローチャートである。
【図６】本実施の形態による処理例を示すフローチャートである。
【図７】本実施の形態による処理例を示すフローチャートである。
【図８】本実施の形態による処理例を示すフローチャートである。
【図９】本実施の形態による処理例を示すフローチャートである。
【図１０】本実施の形態による処理例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示す説明図である。
【図１７】本実施の形態による処理例を示す説明図である。
【図１８】本実施の形態による処理例を示す説明図である。
【図１９】本実施の形態による処理例を示すフローチャートである。
【図２０】本実施の形態による処理例を示すフローチャートである。
【図２１】本実施の形態による処理例を示すフローチャートである。
【図２２】本実施の形態による処理例を示すフローチャートである。
【図２３】本実施の形態による処理例を示すフローチャートである。
【図２４】本実施の形態による処理例を示すフローチャートである。
【図２５】本実施の形態を実現するコンピュータのハードウェア構成例を示すブロック図である。
【発明を実施するための形態】
【００７５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００７６】
本実施の形態は、携帯端末１００と印刷装置１５０によって構成されている。携帯端末１００は、印刷装置１５０に対して印刷指示（印刷ジョブ、プリントジョブともいわれる）を行うものであって、印刷装置１５０は、携帯端末１００から印刷指示を受け取って、印刷を行うものである。例えば、印刷装置１５０を臨時に利用しなければならない場面（出張先等の印刷装置１５０を１回だけ利用するような場合等）では、携帯端末１００と印刷装置１５０間の通信を行うための設定を行うのは、煩わしいことである。本実施の形態によれば、このような場合でも、ユーザーによる操作での通信設定（少なくとも印刷指示の送信先である印刷装置１５０の選択操作）をすることなく、ユーザーの携帯端末１００から印刷指示を行い、印刷装置１５０で印刷をすることができるようになる。
【００７７】
携帯端末１００と印刷装置１５０間の通信（特に、印刷装置１５０から携帯端末１００への通信）として、可視光通信を用いる。
可視光通信とは、ＬＥＤ（Ｌｉｇｈｔ  Ｅｍｉｔｔｉｎｇ  Ｄｉｏｄｅ）などが発光する可視光の強度を変化させて変調させることによる通信をいう。例えば、標準規格として、以下のものがある。
・ＪＥＩＴＡ  ＣＰ−１２２１／１２２２／１２２３（電子情報技術産業協会）
片方向４．８ｋｂｐｓの主に照明光通信用である。
ＪＥＩＴＡ  ＣＰ−１２２１  可視光通信システム  ２００７年３月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２１
ＪＥＩＴＡ  ＣＰ−１２２２  可視光ＩＤシステム  ２００７年６月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２２
ＪＥＩＴＡ  ＣＰ−１２２３  可視光ビーコンシステム  ２０１３年５月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２３
可視光源から、簡単な情報やその可視光源に固有なＩＤ情報を放射送信させることで、ものの識別、位置情報の提供、各種案内システムの構築など様々な応用を図るものである。
・ＡＲＩＢ  ＳＴＤ−Ｔ５０  ４．０版（電波産業会）２００９年１２月
下り可視光、上り赤外を用いた光ＬＡＮ（赤外光ＬＡＮの可視光拡張）である。
ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／１−ＳＴＤ−Ｔ５０ｖ４＿０．ｐｄｆ
・ＩｒＤＡ「可視光通信標準規格」１．０版（可視光通信コンソーシアムとＩｒＤＡの共同）  ２００９年２月
ＩｒＤＡの可視光通信拡張、互換性確保規格である。
・ＩＥＥＥ  ８０２．１５．７  （２００９年１月）
規格リリース済みの可視光通信規格である。
・ＩＥＥＥ  ８０２．１５．ＳＧ７ａ
イメージセンサーを使った可視光通信規格である。
【００７８】
印刷装置１５０から可視光通信用の発光を行い、光を当てた携帯端末１００に対し、印刷装置１５０と通信を行うためのその印刷装置１５０を特定するための情報（以下、特定情報ともいう）を送信する。ここで「印刷装置１５０と通信を行うため」における「通信」とは、通信先を特定するための特定情報が必要な通信であって、可視光通信以外の通信をいう。例えば、ＷｉＦｉ（Ｗｉｒｅｌｅｓｓ  Ｆｉｄｅｌｉｔｙ）、近距離無線通信のブルートゥース（Ｂｌｕｅｔｏｏｔｈ（登録商標））等の無線通信であってもよい。また「印刷装置１５０を特定するための特定情報」とは、通信の相手先を特定する（ペアリング等）ための情報であって、一般的には、機器の名称、アドレス等といわれるものであって、具体的には、ＩＰ（Ｉｎｔｅｒｎｅｔ  Ｐｒｏｔｏｃｏｌ）アドレス、ＭＡＣアドレス（Ｍｅｄｉａ  Ａｃｃｅｓｓ  Ｃｏｎｔｒｏｌ  ａｄｄｒｅｓｓ）、メールアドレス、端末名等が該当する。
そして、携帯端末１００は、可視光通信によって、印刷装置１５０からその特定情報（印刷装置１５０と通信を行うための印刷装置１５０を特定するための情報）を受信する。
次に、携帯端末１００は、その特定情報にしたがって、通信（その特定情報で設定される通信であって、可視光通信以外の通信）の設定を行い、その通信を用いて印刷指示を印刷装置１５０に送信する。
そして、印刷装置１５０は、携帯端末１００からその通信によって印刷指示を受信し、その印刷指示にしたがった印刷を行う。
なお、この一連の処理において、携帯端末１００で、印刷指示の送信先を選択する操作を入力する必要はない。
【００７９】
携帯端末１００は、図１の例に示すように、可視光通信モジュール１０５、通信モジュール１１０、通信制御モジュール１１５、ユーザーインタフェースモジュール１２０、ファイル記憶モジュール１２５、印刷装置リスト管理モジュール１３０を有している。携帯端末１００は、一般的にモバイル端末ともいわれ、例えば、携帯電話（スマートフォンを含む）、ノートＰＣ（Ｐｅｒｓｏｎａｌ  Ｃｏｍｐｕｔｅｒ）、ウェアラブル端末（例えば、腕時計型端末、メガネ型端末等）等が該当する。可視光通信（少なくとも送信用の可視光通信）ができるものであり、ユーザーの操作にしたがって印刷指示を印刷装置１５０に送信するものである。
【００８０】
可視光通信モジュール１０５は、撮像モジュール１０７ａ、撮像用照明モジュール１０７ｂを有しており、通信制御モジュール１１５と接続されている。可視光通信モジュール１０５は、可視光通信（可視光通信用の受光、発光）を行う。また、撮像モジュール１０７ａ、撮像用照明モジュール１０７ｂを制御して、可視光通信を行うようにしてもよい。可視光通信モジュール１０５は、可視光通信によって、印刷装置１５０と通信を行うためのその印刷装置１５０を特定するための特定情報を受信する。その特定情報を通信制御モジュール１１５に渡す。
また、可視光通信モジュール１０５は、携帯端末１００が有しているカメラと同じ向きに設置されていてもよい。この場合、カメラで撮影した画像をユーザーインタフェースモジュール１２０のディスプレイに表示させることによって、ユーザーが可視光通信の送信先（印刷装置１５０）を確認できるようにしてもよい。
撮像モジュール１０７ａは、可視光通信の受光装置としての機能を有する。つまり、印刷装置１５０から可視光通信で送信されてきた情報を受信する。具体的には、カメラの受光部が該当する。
撮像用照明モジュール１０７ｂは、可視光通信の発光装置としての機能を有する。つまり、印刷装置１５０に対して、可視光通信で情報を送信する。具体的には、カメラの撮像用照明（ストロボ用照明等）が該当する。撮像モジュール１０７ａ、撮像用照明モジュール１０７ｂは、カメラの受光部、撮像用照明としての機能を有しているとともに、標準規格の可視光通信装置としての機能を有している。
通信モジュール１１０は、通信制御モジュール１１５と接続されている。通信モジュール１１０は、印刷装置１５０との間で通信（可視光通信以外の通信）を行う。通信モジュール１１０は、通信制御モジュール１１５による制御によって、可視光通信モジュール１０５が受信した特定情報にしたがって、通信によって印刷指示を印刷装置１５０に送信する。
【００８１】
通信制御モジュール１１５は、可視光通信モジュール１０５、通信モジュール１１０、ユーザーインタフェースモジュール１２０、ファイル記憶モジュール１２５と接続されている。通信制御モジュール１１５は、可視光通信モジュール１０５を介して、可視光通信によって、印刷装置１５０と通信を行うためのその印刷装置１５０を特定するための特定情報を受信する。そして、その特定情報にしたがって、通信によって印刷指示を印刷装置１５０に送信するように通信モジュール１１０を制御する。可視光通信を用いることによって、ユーザーにとって、発信源（印刷装置１５０等）、受信先（携帯端末１００等）、通信経路が目に見えるので、通信範囲がわかりやすい。
また、通信制御モジュール１１５は、通信モジュール１１０を制御して、印刷指示の送信先である印刷装置１５０を選択するユーザーの操作入力を受け付けることなく、その印刷指示を印刷装置１５０に送信するようにしてもよい。
【００８２】
また、通信制御モジュール１１５は、可視光通信モジュール１０５を制御して、印刷装置１５０を特定するための特定情報の送信指示を送信してもよい。ここで、「印刷装置１５０を特定するための特定情報の送信指示」は、携帯端末１００が印刷装置１５０との通信を開始するために必要な特定情報を要求する指示である。
また、通信制御モジュール１１５は、可視光通信モジュール１０５を制御して、「印刷装置１５０を特定するための情報」を受信した場合は、可視光通信の受信を停止するようにしてもよい。「印刷装置１５０を特定するための特定情報」の余分な受信を停止するためである。
また、通信制御モジュール１１５は、可視光通信モジュール１０５が、可視光通信によって、印刷装置１５０から印刷装置１５０の特性又は状態を受信した場合、その特性又は状態にしたがって、印刷指示を生成するようにしてもよい。そして、通信制御モジュール１１５は、通信モジュール１１０を制御して、その生成した印刷指示を送信するようにしてもよい。
また、通信制御モジュール１１５は、通信モジュール１１０を制御して、「可視光通信によって印刷装置１５０を特定するための特定情報を受信したことによって通信を行っていることを示す情報」と印刷指示を、印刷装置１５０に送信するようにしてもよい。
【００８３】
ユーザーインタフェースモジュール１２０は、通信制御モジュール１１５、ファイル記憶モジュール１２５、印刷装置リスト管理モジュール１３０と接続されている。ユーザーインタフェースモジュール１２０は、タッチスクリーン、音声、視線、ジェスチャ、マウス、キーボード等を用いたユーザーの操作を受け付ける。ユーザーの操作として、印刷指示等がある。また、ユーザーインタフェースモジュール１２０は、液晶ディスプレイ、スピーカー、振動装置等によって、情報をユーザーに知らせる。また、ユーザーインタフェースモジュール１２０は、印刷装置１５０から印刷指示を受信した旨を示す情報を受信した場合は、その旨の提示を行うようにしてもよい。その提示を受けたユーザーは、可視光通信を中止する操作（可視光通信の受光の停止、可視光通信の光を携帯端末１００の可視光センサー（受光センサー）からはずすこと等）を行うこととなる。
また、ユーザーインタフェースモジュール１２０は、可視光通信によって「印刷装置１５０を特定するための特定情報」を受信している場合は、ユーザーが可視光を携帯端末１００に当てる動作（動作を続けることを含む）の示唆を提示するようにしてもよい。可視光通信によって印刷装置１５０を特定するための特定情報を受信する際に、ユーザーは実施すべき動作がわかりやすくなる。
ファイル記憶モジュール１２５は、通信制御モジュール１１５、ユーザーインタフェースモジュール１２０と接続されている。ファイル記憶モジュール１２５は、印刷対象となるファイルを記憶している。通信制御モジュール１１５は、印刷指示として、印刷対象であるファイルを含めてもよい。
【００８４】
印刷装置リスト管理モジュール１３０は、ユーザーインタフェースモジュール１２０と接続されている。印刷装置リスト管理モジュール１３０は、ユーザーに印刷装置１５０を選択させるための選択リスト（印刷装置リスト）を管理する。その選択リスト内には、例えば、特定情報（人間が認識しやすいように、特定情報から抽出した印刷装置１５０の名称等を含めてもよい）がある。
そして、印刷装置リスト管理モジュール１３０は、可視光通信モジュール１０５で特定情報を受信した場合、無線通信の送信先として印刷装置を選択するための選択リストに受信した特定情報を追加しない。
また、印刷装置リスト管理モジュール１３０は、通信モジュール１１０で特定情報を受信した場合、選択リストに受信した特定情報を追加するようにしてもよい。つまり、可視光通信で特定情報を受信した場合は、選択リストに含めず、無線通信で特定情報を受信した場合は、選択リストに含めるようにしてもよい。可視光通信を利用する場合は、一時的な利用が主であることから、選択リストの見やすさを保ち、さらに、特定情報の漏洩を防ぐためである。一方、無線通信で特定情報を受信した場合は、継続的な利用が主であることから、今後の利便性を図るために、特定情報を選択リストに含める。
【００８５】
印刷装置１５０は、図１の例に示すように、可視光通信モジュール１５５、通信モジュール１６０、通信制御モジュール１６５、ユーザーインタフェースモジュール１７０、印刷制御モジュール１７５、ファイル記憶モジュール１８０、印刷モジュール１８５、発光制御モジュール１９０、接近検知モジュール１９５を有している。印刷装置１５０は、一般的に、プリンタ、プリンタ機能を有する複合機（スキャナ、プリンタ、複写機、ファックス等のいずれか２つ以上の機能を有している画像処理装置）等が該当する。
【００８６】
可視光通信モジュール１５５は、撮像モジュール１５７ａ、撮像用照明モジュール１５７ｂを有しており、通信制御モジュール１６５、発光制御モジュール１９０と接続されている。可視光通信モジュール１５５は、携帯端末１００との間で、可視光通信（可視光通信用の受光、発光）を行う。また、撮像モジュール１５７ａ、撮像用照明モジュール１５７ｂを制御して、可視光通信を行うようにしてもよい。可視光通信モジュール１５５は、可視光通信によって、印刷装置１５０と通信を行うための印刷装置１５０を特定するための特定情報を携帯端末１００に送信する。
撮像モジュール１５７ａとして、例えば、図３で後述する接近検知用カメラ３２０又は顔撮像用カメラ３４０が該当する。
撮像用照明モジュール１５７ｂとして、例えば、図３で後述する接近検知用照明３３０又は顔撮像用照明３５０が該当する。
通信モジュール１６０は、通信制御モジュール１６５と接続されている。通信モジュール１６０は、携帯端末１００との間で通信（可視光通信以外の通信）を行う。通信モジュール１６０は、携帯端末１００から通信によって印刷指示を受信する。その印刷指示を通信制御モジュール１６５に渡す。
【００８７】
通信制御モジュール１６５は、可視光通信モジュール１５５、通信モジュール１６０、ユーザーインタフェースモジュール１７０、印刷制御モジュール１７５、ファイル記憶モジュール１８０と接続されている。通信制御モジュール１６５は、可視光通信によって、「印刷装置１５０を特定するための特定情報」を携帯端末１００に送信するように可視光通信モジュール１５５を制御する。そして、通信モジュール１６０を介して、携帯端末１００からの印刷指示を受信する。
また、通信制御モジュール１６５は、複数回、「印刷装置１５０を特定するための特定情報」を送信するようにしてもよい。印刷指示のヘッダ部分を受信できずに、可視光通信による受信が始まることがあるからである。つまり、可視光を携帯端末１００の可視光センサーに当てる前に、可視光通信を始めてしまうことがあり得るからである。
また、印刷装置１５０が「印刷装置１５０を特定するための特定情報」を複数回送信した場合は、携帯端末１００の通信制御モジュール１１５は、前回受信したものと同じであるか否かを判断し、同じである場合は、その受信を破棄するようにしてもよい。
【００８８】
また、印刷装置１５０は、人の所在を検知する人感センサーを有していてもよい。人感センサーが人の所在を検知した場合、通信制御モジュール１６５は、可視光通信モジュール１５５に、可視光通信を開始するように制御してもよい。ここで「人の所在を検知する」には、人が近づくことを検知することを含む。例えば、人感センサーは、赤外線、超音波、可視光等が用いられる。また、これらの組み合わせ、例えば、赤外線と超音波との組み合わせを用いてもよいし、赤外線等のみであってもよい。
また、通信制御モジュール１６５は、携帯端末１００から可視光通信によって、印刷装置１５０を特定するための特定情報の送信指示を受信した場合、印刷装置１５０は可視光通信を開始するように可視光通信モジュール１５５を制御してもよい。
また、通信制御モジュール１６５は、通信モジュール１６０が印刷指示を受信した場合、可視光通信のための発光を停止するように可視光通信モジュール１５５を制御してもよい。「印刷装置１５０を特定するための特定情報」の余分な送信を停止するためである。ここで「通信モジュール１６０が印刷指示を受信した場合」とは、印刷指示であるデータ全ての受信を完了した場合であってもよいし、印刷指示を受信したことが判明した時点であってもよい。
【００８９】
また、通信制御モジュール１６５は、可視光通信モジュール１５５を制御して、可視光通信によって、印刷装置１５０の特性又は状態を送信するようにしてもよい。印刷装置１５０の特性として、例えば、使用可能な用紙サイズ、解像度、カラー又は白黒の指定可能性、片面又は両面の指定可能性等がある。印刷装置１５０の状態として、例えば、プリント可能、故障、用紙切れ等がある。
また、通信制御モジュール１６５は、印刷指示とともに、「可視光通信によって印刷装置１５０を特定するための特定情報を受信したことによって通信を行っていることを示す情報」を受信した場合に、その印刷指示にしたがって印刷するように制御してもよい。可視光通信を経て印刷指示を受け付けた場合と、可視光通信を経ずに印刷指示を受け付けた場合とを区別するためである。なお、受信しなかった場合は、受信するまで待機する等の制御をすることとなる。
【００９０】
ユーザーインタフェースモジュール１７０は、通信制御モジュール１６５、印刷制御モジュール１７５と接続されている。ユーザーインタフェースモジュール１７０は、タッチスクリーン、音声、視線、ジェスチャ、マウス、キーボード等を用いたユーザーの操作を受け付ける。また、ユーザーインタフェースモジュール１７０は、液晶ディスプレイ、スピーカー、振動装置等によって、情報をユーザーに知らせる。
印刷制御モジュール１７５は、通信制御モジュール１６５、ユーザーインタフェースモジュール１７０、ファイル記憶モジュール１８０、印刷モジュール１８５と接続されている。印刷制御モジュール１７５は、通信制御モジュール１６５が受信した印刷指示にしたがって、印刷モジュール１８５を用いて印刷処理を行わせる。
ファイル記憶モジュール１８０は、通信制御モジュール１６５、印刷制御モジュール１７５と接続されている。ファイル記憶モジュール１８０は、通信制御モジュール１６５が受信した印刷指示内のファイルを記憶する。
またユーザーインタフェースモジュール１７０は、可視光通信によって送信する場合は、ユーザーが可視光を携帯端末１００に当てる動作の示唆を提示するようにしてもよい。可視光通信によって送信する際に、ユーザーは実施すべき動作がわかりやすくなる。
印刷モジュール１８５は、印刷制御モジュール１７５と接続されている。印刷モジュール１８５は、印刷制御モジュール１７５の制御にしたがって、印刷処理を行う。
【００９１】
接近検知モジュール１９５は、発光制御モジュール１９０と接続されている。接近検知モジュール１９５は、人の所在を検知する。ここでの検知対象の人は、印刷装置１５０を用いて印刷を行おうとしているユーザーであって、携帯端末１００を所持している者である。
発光制御モジュール１９０は、可視光通信モジュール１５５、接近検知モジュール１９５と接続されている。発光制御モジュール１９０は、接近検知モジュール１９５が人の所在を検知した場合、低消費電力モードを維持したまま、可視光通信モジュール１５５による可視光通信による送信（発光）を開始するように制御する。印刷装置１５０には、プリントを待機している状態である低消費電力モードと、プリントが可能な状態であるプリントモード（スタンバイモードともいわれる）がある。低消費電力モードの消費電力は、プリントモードより少ない。プリントモードでは、画像形成部の予熱が行われており、画像形成部でプリントが実行可能又はプリントの実行が行われる。さらに、低消費電力モードとして、複数段階のモードがあってもよい。例えば、ヒーター部の温度を下げ、かつモーターが停止している状態である低電力モードと、主電源が切れ、最も電力を節約できる状態である自動オフモード（スリープモードともいわれる）等がある。「低消費電力モードを維持したまま」とは、プリントモード以外の状態であることをいい、例えば、前述の低電力モード、自動オフモードのいずれかであればよい。したがって、自動オフモードから低電力モードへ遷移したとしても、「低消費電力モードを維持したまま」の範疇である。また、低消費電力モードでは、ディスプレイ等を消灯することもあるが、本実施の形態では、「低消費電力モードを維持したまま」、可視光通信以外に、ディスプレイ等での表示を行うこともある。つまり、ディスプレイ等以外の部品、装置等が電力を節約している状態であればよい。したがって、ディスプレイ等が点灯したことのみをもって、低消費電力モードが解除されたとはいえない。
【００９２】
ここで、可視光通信モジュール１５５、印刷装置リスト管理モジュール１３０等の機能を説明する。
可視光通信モジュール１５５は、無線通信の送信先として本印刷装置１５０を特定するための特定情報を、撮像用照明モジュール１５７ｂを用いて、携帯端末１００に対して、可視光通信によって送信する。
そして、通信モジュール１６０は、携帯端末１００から、特定情報にしたがった無線通信によって印刷指示を受信する。
【００９３】
また、可視光通信モジュール１５５は、無線通信の送信先として本印刷装置１５０を特定するための特定情報を、低消費電力モードを維持したまま、携帯端末１００に対して、可視光通信によって送信する。
そして、通信モジュール１６０は、携帯端末１００から、特定情報にしたがった無線通信によって印刷指示を受信する。
【００９４】
また、可視光通信モジュール１５５は、無線通信の送信先として本印刷装置１５０を特定するための特定情報を、可視光通信によって送信する。
そして、通信モジュール１６０は、携帯端末１００から、特定情報にしたがった無線通信によって印刷指示を受信する。
接近検知モジュール１９５は、人の所在を検知する。
発光制御モジュール１９０は、接近検知モジュール１９５が人の所在を検知した場合、低消費電力モードを維持したまま、可視光通信モジュール１５５は可視光通信を開始するように可視光通信モジュール１５５を制御する。この場合、撮像用照明モジュール１５７ｂを用いて、可視光通信による送信を行うようにしてもよい。
また、撮像モジュール１５７ａは、人の接近を検知するための検知用撮像装置又は顔を撮像するための顔撮像装置であってもよい。
撮像用照明モジュール１５７ｂは、検知用撮像装置又は顔撮像装置のいずれかの近傍に存在するように設置してもよい。
【００９５】
また、可視光通信モジュール１５５は、無線通信の送信先として本印刷装置１５０を特定するための特定情報を、可視光通信によって携帯端末１００の受光部に送信する。
そして、ユーザーインタフェースモジュール１７０は、可視光通信によって特定情報を携帯端末１００に送信する場合は、ユーザーが可視光を携帯端末１００の受光部に当てる動作の示唆を提示する。
【００９６】
また、可視光通信モジュール１０５は、無線通信の送信先として印刷装置１５０を特定するための特定情報を、可視光通信によって受信する。
そして、通信モジュール１１０は、特定情報を、無線通信によって受信する。
そして、印刷装置リスト管理モジュール１３０は、可視光通信モジュール１０５で特定情報を受信した場合、無線通信の送信先として選択リストに受信した特定情報を追加しない。
また、印刷装置リスト管理モジュール１３０は、通信モジュール１１０で特定情報を受信した場合、選択リストに受信した特定情報を追加する。
なお、無線通信は、可視光通信を含めるものとしてもよいし、可視光通信とは異なる通信（具体的には、ＷｉＦｉ、ブルートゥース等）としてもよい。いずれかに限定してもよい。
【００９７】
図２は、本実施の形態を利用したシステム構成例等を示す説明図である。
図２（ａ）の例に示すように、携帯端末１００と印刷装置１５０間で可視光通信を行う。例えば、携帯端末１００は、印刷装置１５０からの可視光通信による光を受け、「印刷装置１５０を特定するための特定情報」を受信する。そして、携帯端末１００は、「印刷装置１５０を特定するための特定情報」を設定して、印刷装置１５０と通信可能の状態にする。前述したように、ここでの可能とする通信は、可視光通信以外の通信である。その通信を用いて、携帯端末１００は、印刷装置１５０に印刷指示を送信する。印刷装置１５０は、携帯端末１００から送信されてきたファイルを印刷する。ユーザーは、印刷済みの用紙を印刷装置１５０から取り出す。
印刷装置１５０の可視光通信装置は、外部（携帯端末１００）から光を当てることができる領域（例えば、前面部分、上面部分）に備え付けられている。
【００９８】
図２（ａ）の例では、携帯端末１００と印刷装置１５０は離れているが、可視光通信が可能であれば密接していてもよい。例えば、図２（ｂ１）に示すように、印刷装置１５０の上面部分に携帯端末１００の携帯端末置場２２０を備えてもよい。
そして、例えば、図２（ｂ２）に示すように、携帯端末置場２２０の上側面に可視光通信装置２２５を備えてもよい。また、携帯端末置場２２０の底面に可視光通信装置２３０を備えてもよい。可視光通信装置２２５は、携帯端末置場２２０の上側面の全面であってもよい。可視光通信装置２３０は、携帯端末置場２２０の底面の全面であってもよい。また、可視光通信装置２２５（可視光通信装置２３０）は、上側面、右側面、左側面、下側面、底面にあってもよいし、それらの全面であってもよい。携帯端末１００の可視光通信装置の位置に合わせて設置すればよい。
さらに、携帯端末置場２２０の全体（上側面、下側面、右側面、左側面、底面）に可視光通信装置２２５（可視光通信装置２３０）を設置してもよい。携帯端末１００がどのように置かれても、又は、どのような機種の携帯端末１００にも対応するためである。
【００９９】
一方、携帯端末１００は、図２（ｂ３）の例に示すように、携帯端末１００の側面に可視光通信装置２５０を備えていてもよい。また、図２（ｂ４）の例に示すように、カメラ２６０の近辺に可視光通信装置２５５を備えていてもよい。この場合、前述したように、可視光通信の通信相手側（印刷装置１５０）をカメラ２６０で撮影して、携帯端末１００のディスプレイに表示することによって、通信相手を確認することができるようになる。また、カメラ２６０（撮像と発光の両方の機能を備えているカメラ２６０）は、可視光通信装置（受光センサー、発光装置、又はその組み合わせ）２５５の機能を備えていてもよい。もちろんのことながら、その場合、図２（ｂ４）の例に示すような可視光通信装置２５５は不要となり、カメラ２６０（撮像モジュール１０７ａの一例）だけでよい。また、携帯端末１００に備え付けられているストロボ用照明（撮像用照明モジュール１０７ｂの一例）、ディスプレイ等を可視光通信における発光装置として利用してもよい。
【０１００】
図３は、印刷装置１５０の具体例を示す説明図である。
印刷装置１５０は、所在検知用センサー３１０、接近検知用カメラ３２０、接近検知用照明３３０、顔撮像用カメラ３４０、顔撮像用照明３５０を有している。ここで、接近検知用カメラ３２０又は顔撮像用カメラ３４０は撮像モジュール１５７ａの一例であり、接近検知用照明３３０又は顔撮像用照明３５０は撮像用照明モジュール１５７ｂの一例である。可視光通信装置として、接近検知用カメラ３２０と接近検知用照明３３０の組み合わせ、又は顔撮像用カメラ３４０と顔撮像用照明３５０の組み合わせを用いることによって、可視光通信装置を新たに設置する必要がなくなり、コストダウンとなる。所在検知用センサー３１０は接近検知モジュール１９５の一例である。
なお、破線はカメラ（接近検知用カメラ３２０、顔撮像用カメラ３４０）の撮像範囲（検知範囲）を示しており、一点鎖線は照明（接近検知用照明３３０、顔撮像用照明３５０）の照明範囲を示している。接近検知用カメラ３２０と接近検知用照明３３０は互いに近接した位置に設置されている。同様に、顔撮像用カメラ３４０と顔撮像用照明３５０は互いに近接した位置に設置されている。接近検知用カメラ３２０と接近検知用照明３３０の組み合わせは、顔撮像用カメラ３４０と顔撮像用照明３５０の組み合わせの位置よりも低い位置に設置されている。顔撮像用カメラ３４０は、ユーザー３９０の顔を撮像するためだからである。
【０１０１】
接近検知用カメラ３２０と接近検知用照明３３０の組み合わせ、顔撮像用カメラ３４０と顔撮像用照明３５０の組み合わせは、いずれか一方が装備されていてもよいし、一方が他方を兼用するようにしてもよい。例えば、携帯端末１００は、接近検知用照明３３０から可視光通信で受信し、接近検知用カメラ３２０に発光（返信）してもよいし、顔撮像用照明３５０から可視光通信で受信し、顔撮像用カメラ３４０に発光（返信）してもよい。
また、印刷装置１５０に、接近検知用カメラ３２０と接近検知用照明３３０、顔撮像用カメラ３４０と顔撮像用照明３５０が設置されている場合は、可視光通信装置として、接近検知用カメラ３２０と接近検知用照明３３０の組み合わせ、又は顔撮像用カメラ３４０と顔撮像用照明３５０の組み合わせのいずれか一方を用いるようにしてもよいし、両方の組み合わせを用いるようにしてもよい。両方の組み合わせを用いた場合は、一方の組み合わせを用いた場合よりも携帯端末１００の検知範囲が広くなる。また、両方の組み合わせを用いた場合は、発光を同期させるようにしてもよい。いずれの受光装置（接近検知用カメラ３２０、顔撮像用カメラ３４０）が受光しても対応することができるようになる。この場合、携帯端末１００は、接近検知用照明３３０から可視光通信で受信し、顔撮像用カメラ３４０に発光（返信）してもよいし、顔撮像用照明３５０から可視光通信で受信し、接近検知用カメラ３２０に発光（返信）してもよい。
接近検知用カメラ３２０は、人を撮像することにより人の接近を検知する。
顔撮像用カメラ３４０は、人の顔を撮像する。印刷装置１５０が設置されている部屋全体を撮像してもよい。
所在検知用センサー３１０の検知範囲は、接近検知用カメラ３２０の検知範囲より広く、遠くから検知できる。所在検知用センサー３１０は、接近検知用カメラ３２０や顔撮像用カメラ３４０より、消費電力が低い（少ない）。
【０１０２】
図４〜６は、本実施の形態による処理例を示すフローチャートである。なお、ステップＰとして印刷装置１５０の処理、ステップＫとして携帯端末１００の処理、ステップＵとしてユーザー３９０の動作について説明する。
印刷装置１５０は以下の処理を行う。
ステップＰ３０２では、印刷装置１５０本体は低消費電力モードである。印刷装置１５０の可視光通信規格に基づく可視光通信用ＬＥＤライトの発光を停止している。
ステップＵ３０２では、ユーザーの動作として、印刷装置１５０の可視光通信開始用スイッチを押す、又は、印刷装置１５０に接近する。
【０１０３】
ステップＰ３０４では、人の接近を検知する。この可視光通信で送信するデータは、印刷装置１５０のアドレス又は端末名を含む。アドレス又は端末名は、可視光通信とは異なる無線通信（ＷｉＦｉ等）で通信先を示す特定情報の一例である。ステップＰ３０４では、「人の接近を検知する」の代わりに、「可視光通信開始スイッチが押されたことを検知する」でもよい。ステップＰ３０４の詳細な処理については、図７又は図８の例に示すフローチャートを用いて後述する。
ステップＰ３０６では、印刷装置１５０から携帯端末１００への通信として、印刷装置１５０のアドレス又は端末名を含む可視光を発光する。アドレス又は端末名は、ＷｉＦｉ無線通信で通信先を示す特定情報の一例である。例えば、ＩＰアドレス、メールアドレス又は端末名等が該当する。
【０１０４】
ステップＰ３０８では、プリントジョブを受信したか否かを判断し、受信した場合はステップＰ３１６へ進み、それ以外の場合はステップＰ３１０へ進む。プリントジョブの受信とは、受信開始、又は、受信完了を意味する。
ステップＰ３１０では、予め定められた時間（例えば、５分等）が経過したか否かを判断し、経過した場合はステップＰ３１２へ進み、それ以外の場合はステップＰ３１１Ａへ進む。なお、この「予め定められた時間」は、ステップＰ３０６でのアドレス等を送信した時点からの経過時間である。
ステップＰ３１１Ａでは、人の離脱（印刷装置１５０と人との距離が閾値以上）を検知したか否かを判断し、検知した場合はステップＰ３１１Ｂへ進み、それ以外の場合はステップＰ３０８へ戻る。また、顔の認識を行っている場合は、ステップＰ３０４で検知した人と同一人物であるか否かによって判断してもよい。なお、ステップＰ３１０、ステップＰ３１１Ａの判断処理は、いずれを先に行ってもよい。
ステップＰ３１１Ｂでは、「接近した人から、プリントジョブを受信しなかった」旨の表示をし、ステップＰ３１４へ進む。
【０１０５】
ステップＰ３１２では、「予め定められた時間が経過したが、プリントジョブを受信しなかった」旨の表示をする。
ステップＰ３１４では、可視光通信用ＬＥＤライトの発光を停止する。ステップＰ３０２に戻る。
ステップＵ３０８では、ユーザーの動作として、印刷装置１５０が「予め定められた時間が経過したが、プリントジョブを受信しなかった」旨の表示をした場合（ステップＰ３１２又はステップＰ３１４）、ユーザーは、このフローの最初からの処理（ステップＰ３０２等）を繰り返す。
【０１０６】
ステップＰ３１６では、プリントジョブを受信した場合、可視光通信用ＬＥＤライトの発光を停止する。プリントジョブを受信した場合、発光する必要がなくなるので、消費電力を減らすため、発光を停止する。また、発光を停止することで、携帯端末１００のユーザーに、印刷装置１５０がプリントジョブを受信したことを通知することとなる。したがって、携帯端末１００が「印刷装置１５０のアドレスを受光したことを示す、音／表示／振動」をしない場合でも、ユーザーは、可視光センサーをプリントしたい印刷装置１５０が発光している可視光からはずせることがわかる。印刷装置１５０の可視光通信用ＬＥＤとは別のコンソールパネルに受信完了を表示することを行ってもよいが、可視光通信用ＬＥＤの発光を停止させた方が、ユーザーにとって見やすくなり、また、コンソールパネルへの表示が不要になる。なお、ステップＰ３１４でも「発光を停止する」こととなるが、ステップＰ３１４では「予め定められた時間が経過した後」に発光を停止するが、このステップＰ３１６では「予め定められた時間が経過する前」（一般的には、アドレス等の送信直後）に発光を停止するので、ユーザーにとっても判別は可能である。
【０１０７】
ステップＵ３１０では、ユーザーの動作として、印刷装置１５０が可視光通信用ＬＥＤライトの発光を停止したら、ユーザーは、携帯端末１００を移動させて、携帯端末１００の可視光センサーを、プリントしたい印刷装置１５０の発光からはずす。
【０１０８】
ステップＰ３１８では、ＷｉＦｉ等でプリントジョブを受信した後の印刷装置１５０本体動作は、通常のＷｉＦｉ経由でプリントジョブを受信した場合と同等の動作である。印刷装置１５０本体の低消費電力モードを解除し、プリントモードにする。プリントジョブにしたがって、プリントする。
ステップＰ３２０では、プリント終了後に、印刷装置１５０本体を低消費電力モードにする。そして、ステップＰ３０２に戻る。
【０１０９】
一方、携帯端末１００は以下の処理を行う。
ステップＫ３０２では、ユーザーにより、画像ファイルアイコンが選択される。プリンタの選択操作は入力されない。
ステップＫ３０４では、「可視光通信でアドレス受信開始」アイコンがクリックされたか否かを判断し、クリックされた場合はステップＫ３０６へ進み、それ以外の場合はクリックされるまで待機する。
ステップＫ３０６では、可視光センサーを可視光通信受光モードにする。可視光通信規格に基づいた可視光の受光を開始する。
【０１１０】
ステップＵ３０４では、ユーザーの動作として、携帯端末１００の可視光センサーを、プリントしたい印刷装置１５０が発光している可視光に当てる。
ステップＫ３０８では、可視光センサーが、可視光通信規格に基づく可視光を受光したか否かを判断し、受光した場合はステップＫ３１０へ進み、それ以外の場合は受光するまで待機する。
ステップＫ３１０では、受光した可視光には、印刷装置１５０のアドレスが含まれているか否かを判断し、含まれている場合はステップＫ３１２へ進み、それ以外の場合はステップＫ３０８へ戻る。
【０１１１】
ステップＫ３１２では、可視光センサーの可視光通信受光モードを解除し、可視光センサーの動作を停止する。
ステップＫ３１４では、印刷装置１５０のアドレスを受光したことを示す、音、表示、振動等を発生する。
ステップＵ３０６では、携帯端末１００が「印刷装置１５０のアドレスを受光したことを示す提示処理」をしたら、ユーザーの動作として、携帯端末１００を移動させて、携帯端末１００の可視光センサーを、プリントしたい印刷装置１５０が発光している可視光からはずすことを行う。
なお、ステップＫ３１４の動作は必須ではない。ステップＫ３１４の動作があると、印刷装置１５０のアドレスの受光完了したことを、ユーザーが知ることができる。そして、ユーザーは、携帯端末１００を印刷装置１５０が発光している可視光からはずすタイミングがわかることとなる。
【０１１２】
ステップＫ３１５では、印刷装置リスト管理モジュール１３０は、印刷先の選択リストに受理した印刷装置１５０に関する情報（特定情報）を追加しない。従来、ＷｉＦｉ等の無線通信で印刷装置１５０のアドレスや名前を受信した場合、印刷先の選択リストに印刷装置１５０の名前を登録していた。そして、ユーザーが印刷したい場合、印刷先の選択リストから印刷したい印刷装置１５０を選択することが行われていた。従来のように印刷先の選択リストに印刷装置１５０の名前を登録すると、印刷先の選択リストの項目数が多くなり、印刷先の選択リストから印刷先の印刷装置１５０を選択しづらくなる。本実施の形態のように、印刷先の選択リストに受信した印刷装置１５０の特定情報を追加しないならば、印刷先の印刷装置１５０を選択しやすくなり、使いやすくなる。
【０１１３】
ステップＫ３１６では、ユーザーによって選択された画像ファイルをプリントするための、プリントジョブを作成する。
ステップＫ３１８では、受信した印刷装置１５０のアドレス宛に、無線通信（ＷｉＦｉ等）を用いて、プリントジョブを送信する。プリントジョブの送信に、ＷｉＦｉ以外の通信を使用してもよい。例えば、Ｂｌｕｅｔｏｏｔｈ等が該当する。
ステップＫ３２０では、携帯端末１００から印刷装置１５０にプリントジョブを送信する。ここでは、無線通信（ＷｉＦｉ等）経由となる。例えば、プリント用プロトコル又はメールを用いてもよい。さらに、プリントジョブに付加的な情報として、ユーザーＩＤ、パスワードを含んでもよい。
【０１１４】
ステップＫ３２２では、可視光通信で受信した印刷装置１５０のアドレス又は端末名をメモリから削除する。なお、このステップＫ３２２は、行わなくてもよい。
本実施の形態を用いない場合（従来技術のようにＷｉＦｉのみによる通信を用いた場合）は、予めプリントジョブの送信先である印刷装置１５０のアドレスを携帯端末１００に設定する必要があり、その設定操作はユーザーにとって困難である場合がある。そのため、一度設定した印刷装置１５０のアドレスを不揮発性メモリに記憶し、次回のプリントジョブ送信時に再利用していた。
本実施の形態では、可視光通信によって送信先印刷装置１５０のアドレスを簡単に受信できるので、一度受信した印刷装置１５０のアドレスを記憶し再利用する必要がない。印刷装置１５０のアドレスを削除することにより、携帯端末１００のプリンタ選択リストに不要な印刷装置名が記憶されなくなるので、ユーザーは見やすくなると共に、印刷装置１５０に関する特定情報の漏洩を防ぐことができる（セキュリティが向上する）。
ステップＫ３２２では、印刷装置１５０のアドレス又は端末名を携帯端末１００のメモリから削除している。しかし、印刷履歴（ログ）、例えば、印刷指示を行った日時、場所（携帯端末１００のＧＰＳ（Ｇｌｏｂａｌ  Ｐｏｓｉｔｉｏｎｉｎｇ  Ｓｙｓｔｅｍ）利用）、印刷ページ数、用紙サイズ、カラー／白黒の別等を記憶しておく。後の印刷料金の請求があった場合に、料金の確認のためである。
【０１１５】
図７は、本実施の形態による処理例を示すフローチャートである。図４に例示したフローチャートのステップＰ３０４の詳細例（１）であり、印刷装置１５０で可視光通信開始スイッチが押されたことを検知する場合の処理である。
ステップＳ７０２では、印刷装置１５０は低消費電力モードである。
ステップＳ７０４では、可視光通信開始スイッチが押されたか否かを判断し、押された場合はステップＳ７０６へ進み、それ以外の場合はステップＳ７０２へ戻る。
【０１１６】
ステップＳ７０６では、低消費電力モードを維持したままである。可視光発光モードにし、可視光通信用ＬＥＤ照明の発光をして可視光通信の送信をする。
ステップＳ７０８では、ユーザーＩＤとパスワードの入力を待つ。ユーザーＩＤとパスワードが入力されたら、予め登録されているユーザーＩＤとパスワードと比較し、ユーザー認証をする。
ステップＳ７１０では、ユーザーの認証ができたか否かを判断し、できた場合はステップＰ３０４へ戻り（ステップＳ７９９）、それ以外の場合はステップＳ７０８へ戻る。
【０１１７】
図８は、本実施の形態による処理例を示すフローチャートである。図４に例示したフローチャートのステップＰ３０４の詳細例（２）であり、印刷装置１５０が人の接近を検知する場合の処理である。
ステップＳ８０２では、印刷装置１５０は低消費電力モードである。所在検知用センサー３１０で、物（人を含む）が所在検知用センサー３１０の検知範囲内に入ったことを検知する。
ステップＳ８０４では、所在検知用センサー３１０が、検知したか否かを判断し、検知した場合はステップＳ８０６へ進み、それ以外の場合はステップＳ８０２へ戻る。
【０１１８】
ステップＳ８０６では、印刷装置１５０は低消費電力モードを維持したままである。接近検知用照明３３０を点灯させる。可視光発光モードにし、可視光通信用ＬＥＤ照明の発光をして可視光通信の送信をする。この場合、接近検知用照明３３０を用いて可視光通信の送信をしてもよい。
低消費電力モードを維持したまま、可視光発光モードにしているのは、次の理由からである。
可視光発光モードで可視光を発光した後で、ただちにユーザーがプリントジョブを印刷装置１５０に送信するとは限らない。ユーザーがプリントジョブを送信しない場合や、プリントジョブを送信するまでに時間がかかる場合がある。そのような場合、可視光発光モードにする際に、低消費電力モードを維持せずにプリントモードにしてしまうと、無駄にプリントモードにすることになり、消費電力が多くなる。低消費電力モードを維持したまま、可視光発光モードにすることにより、消費電力を減らすことができる。
【０１１９】
ステップＳ８０８では、印刷装置１５０は低消費電力モードである。接近検知用カメラ３２０で人を撮像する。撮像した動画像を解析し、人がだんだん印刷装置１５０に近づいて距離Ａ以内になったら、人の接近を検知したと判断する。また、人がだんだん印刷装置１５０から遠くなり距離Ｂ以上になったら、人の離脱を検知したと判断する。
人の接近を検知する距離Ａと離脱を検知する距離Ｂは、同じでもよいし異なっていてもよい。閾値としての距離Ｂは距離Ａよりも長い方がよりよい。例えば、人が印刷装置１５０に接近して印刷装置１５０が可視光を発光した後で、ユーザーはその位置から違う位置（例えば、一歩下がった位置、可視光発光部・受光部の正面の位置等）で可視光の受光やプリントジョブの送信を行うことがあり、そのような場合（特に、遠ざかる位置に移動した場合）でも可視光通信の受信とプリントジョブの送信を確実に実行できるようになる。
また、人の所在を検知した後は、人の所在を検知する距離を異ならせてもよい。例えば、検知後の距離Ｄは検知前の距離Ｃよりも長くしてもよい。可視光通信で印刷指示を行うことを見た他の人が印刷指示を行う場合、遠い位置から印刷指示を行うことがあり、そのような場合でも印刷指示を確実にできるようになる。なお、１回目の印刷指示があった後から予め定められた期間内を距離Ｄとし、その後は距離Ｃに戻すようにしてもよい。また、その期間内に次の印刷指示があった場合は、期間を初期化してもよい。つまり、その期間内に複数の印刷指示があった場合は、最後の印刷指示があった後から予め定められた期間内を距離Ｄとし、その後は距離Ｃに戻すようにしてもよい。
なお、閾値として距離（距離Ａ、距離Ｂ、距離Ｃ、距離Ｄ）を用いて説明したが、センサーの感度を閾値としてもよい。例えば、遠くの人の所在を検知可能とするようにセンサーの感度を設定すること、近くの人しか検知できないようにセンサーの感度を設定すること、としてもよい。
【０１２０】
ステップＳ８１０では、人の接近又は離脱を検知したか否かを判断し、離脱を検知しない、かつ、接近を検知しない場合はステップＳ８０８へ戻り、離脱を検知した場合はステップＳ８１２へ進み、接近を検知した場合はステップＳ８１４へ進む。
ステップＳ８１２では、低消費電力モードを維持したままである。接近検知用照明３３０を消灯させる。可視光発光モードを解除し、可視光通信用ＬＥＤ照明を消灯し可視光通信の送信を停止する。
ステップＳ８１４では、低消費電力モードを維持したままである。顔撮像用照明３５０を点灯させる。可視光発光モードにし、可視光通信用ＬＥＤ照明の発光をして可視光通信の送信をする。顔撮像用照明３５０を用いて可視光通信の送信をしてもよい。
ステップＳ８１６では、低消費電力モードを維持したままである。撮像した顔画像と、予め登録されているユーザーの顔画像と比較することによってユーザーの認証をする。
ステップＳ８１８では、ユーザーの認証ができたか否かを判断し、できた場合はステップＰ３０４へ戻り（ステップＳ８９９）、それ以外の場合はステップＳ８１４へ戻る。
【０１２１】
図１０は、本実施の形態（携帯端末１００）による処理例を示す説明図である。具体的には、フローチャートのステップＫ３０２、ステップＫ３０４における表示例である。
携帯端末１００は、ディスプレイ６００を有している。図１０の例は、ディスプレイ６００に表示している内容を示している。
ディスプレイ６００は、３つの領域として、画像表示領域６１０、コマンド表示領域６２０、メッセージ表示領域６３０を有している。
画像表示領域６１０には、画像Ａアイコン６１２、画像Ｂアイコン６１４、画像Ｃアイコン６１６、画像Ｄアイコン６１８を表示する。
コマンド表示領域６２０には、「可視光でプリンタアドレスを受光し、ＷｉＦｉで印刷ジョブを送信」アイコン６２２、「可視光でプリンタアドレスを受光し、Ｂｌｕｅｔｏｏｔｈで印刷ジョブを送信」アイコン６２４を表示する。
メッセージ表示領域６３０には、メッセージを表示する。メッセージ表示領域６３０には、例えば「印刷したい画像を選択し、コマンドをクリックしてください。」と表示する。
図１０の例では、画像Ａアイコン６１２と画像Ｂアイコン６１４が選択されたことを示している。この後、「可視光でプリンタアドレスを受光し、ＷｉＦｉで印刷ジョブを送信」アイコン６２２又は「可視光でプリンタアドレスを受光し、Ｂｌｕｅｔｏｏｔｈで印刷ジョブを送信」アイコン６２４がクリックされると、フローチャートのステップＫ３０４の「Ｙｅｓ」に移動する。
【０１２２】
図１１は、本実施の形態（携帯端末１００）による処理例を示す説明図である。具体的には、フローチャートのステップＫ３０６、ステップＵ３０４における表示例である。
「可視光でプリンタアドレスを受光し、ＷｉＦｉで印刷ジョブを送信」アイコン６２２が、ユーザーの選択によって選択されている。
メッセージ表示領域６３０には、例えば「カメラの受光部をプリンタが発光している可視光に当ててください。」と表示する。この表示により、ユーザーは実施すべき動作（具体的には、カメラの受光部を携帯端末１００からの光に当てる動作）がわかりやすくなる。なお、ここでの「カメラの受光部」は可視光センサーを意味する。ユーザーは、可視光センサーを、プリントしたい印刷装置１５０が発光している可視光に当てる動作を行うこととなる。
【０１２３】
図１２は、本実施の形態（携帯端末１００）による処理例を示す説明図である。具体的には、フローチャートのステップＫ３０８からステップＫ３１４、ステップＵ３０６における表示例である。
「可視光でプリンタアドレスを受光し、ＷｉＦｉで印刷ジョブを送信」アイコン６２２が、ユーザーの選択によって選択されている。
メッセージ表示領域６３０には、例えば「プリンタのアドレスの受光を完了しました。カメラの受光部を可視光に当てることを終了してください。」と表示する。なお、ここでの「カメラの受光部」は可視光センサーを意味する。
印刷装置１５０のアドレスの受光を完了した場合、ユーザーが実施すべき動作を、メッセージ表示領域６３０に表示する。この表示により、ユーザーは実施すべき動作がわかりやすくなる。
【０１２４】
図１３は、本実施の形態（携帯端末１００）による処理例を示す説明図である。具体的には、フローチャートのステップＫ３１６、ステップＫ３１８における表示例である。
「可視光でプリンタアドレスを受光し、ＷｉＦｉで印刷ジョブを送信」アイコン６２２が、ユーザーの選択によって選択されている。
メッセージ表示領域６３０には、例えば「ＷｉＦｉで印刷ジョブを送信しています。」と表示する。
これらのステップでは、受信した印刷装置１５０のアドレス宛に、無線通信（ＷｉＦｉ等）を用いて、プリントジョブを送信する。「可視光でプリンタアドレスを受光し、Ｂｌｕｅｔｏｏｔｈで印刷ジョブを送信」アイコン６２４が選択された場合、「Ｂｌｕｅｔｏｏｔｈで印刷ジョブを送信しています。」と表示する。
【０１２５】
図１４は、本実施の形態（携帯端末１００）による処理例を示す説明図である。具体的には、フローチャートのステップＫ３２２における表示例である。
「可視光でプリンタアドレスを受光し、ＷｉＦｉで印刷ジョブを送信」アイコン６２２が、ユーザーの選択によって選択されている。
メッセージ表示領域６３０には、例えば「印刷ジョブの送信を完了しました。」と表示する。ユーザーは、印刷装置１５０でのプリントアウトを待てばよいことになる。
【０１２６】
図１５は、本実施の形態（印刷装置１５０）による処理例を示す説明図である。具体的には、フローチャートのステップＵ３０２、ステップＰ３０４における表示例である。
表示装置１１００は、ディスプレイ１１１０を有している。
ディスプレイ１１１０は、コマンド表示領域１１２０、メッセージ表示領域１１４０を有している。
コマンド表示領域１１２０には、コピーアイコン１１２２、ＦＡＸアイコン１１２４、スキャンアイコン１１２６、ジョブ管理アイコン１１２８、ユーザー管理アイコン１１３０、「可視光でアドレスを発光」アイコン１１３２を表示する。
メッセージ表示領域１１４０には、メッセージを表示する。
「可視光でアドレスを発光」アイコン１１３２が、ユーザーの選択によって選択されている。
メッセージ表示領域１１４０には、例えば「可視光でアドレスを発光中です。携帯端末のカメラの受光部を可視光に当ててください。印刷ジョブの受信待ち状態です。」と表示する。
なお、図１５の例は、印刷装置１５０に可視光通信開始用アイコン（「可視光でアドレスを発光」アイコン１１３２に相当）がある場合に、そのアイコンが選択された後の画面を示している。
図１５の例では、印刷装置１５０が可視光通信規格に基づき発光している。ユーザーが実施すべき動作を、メッセージ表示領域１１４０に表示する。この表示により、ユーザーは実施すべき動作（具体的には、カメラの受光部を携帯端末１００からの光に当てる動作）がわかりやすくなる。
【０１２７】
図１６は、本実施の形態（印刷装置１５０）による処理例を示す説明図である。具体的には、フローチャートのステップＵ３０２、ステップＰ３０４（なお、図１６、図１７の例を用いて後述するステップＰ１５０４、ステップＰ１６０４）における表示例である。つまり、「可視光でアドレスを発光」アイコン１１３２の表示を行わずに、人の接近を検知した場合、携帯端末１００がアドレス発光のための指示を含む発光を行い、それを印刷装置１５０が受光した場合における表示例である。
コマンド表示領域１１２０には、コピーアイコン１１２２、ＦＡＸアイコン１１２４、スキャンアイコン１１２６、ジョブ管理アイコン１１２８、ユーザー管理アイコン１１３０を表示する。
メッセージ表示領域１１４０には、例えば「可視光でアドレスを発光中です。携帯端末のカメラの受光部を可視光に当ててください。印刷ジョブの受信待ち状態です。」と表示する。
印刷装置１５０の可視光通信開始の指示が不要の場合や、常に発光している場合は、「可視光でアドレスを発光」アイコン１１３２を表示していない。印刷装置１５０が可視光通信規格に基づき発光している場合、ユーザーが実施すべき動作を、メッセージ表示領域１１４０に表示する。この表示により、ユーザーは実施すべき動作がわかりやすくなる。
【０１２８】
図１７は、本実施の形態（印刷装置１５０）による処理例を示す説明図である。具体的には、フローチャートのステップＰ３１６における表示例である。
メッセージ表示領域１１４０には、例えば「印刷ジョブの受信を完了しました。携帯端末のカメラの受光部を可視光に当てることを終了してください。」と表示する。
印刷ジョブの受信を完了した場合、可視光通信用ＬＥＤライトの発光を停止する。
なお、「可視光でアドレスを発光」アイコン１１３２を表示している場合、そのアイコンを選択された状態から元の状態（選択されていない状態）に戻す。
ユーザーが実施すべき動作を、メッセージ表示領域１１４０に表示する。この表示により、ユーザーは実施すべき動作がわかりやすくなる。
【０１２９】
図１８は、本実施の形態（印刷装置１５０）による処理例を示す説明図である。具体的には、フローチャートのステップＰ３１８における表示例である。
メッセージ表示領域１１４０には、例えば「ジョブを印刷しています。」と表示する。プリントジョブにしたがって印刷中であることを示している。なお、そのプリントジョブの印刷を完了した場合、「ジョブの印刷を完了しました。」と表示する。
【０１３０】
図１９は、本実施の形態による処理例を示すフローチャートである。
図４に例示のフローチャートのステップＰ３０２、Ｐ３０４を図１９に例示のステップＰ１７０２に入れ替えてもよい。
ステップＰ１７０２では、可視光通信用ＬＥＤライトは、常に発光させる。この可視光は、印刷装置１５０のアドレス又は端末名を含む。ここでも、低消費電力モードを維持したまま、発光させてもよい。
この場合、人のスイッチ操作が不要になる、印刷装置１５０に人が接近しなくてもプリントジョブを送信可能になる、又は、携帯端末１００からアドレス発光のための指示を含む可視光の発光処理が不要になる。ステップＰ３０２、Ｐ３０４等の場合に比べて、消費電力が増えるが、許容できる範囲である。
【０１３１】
図２０は、本実施の形態による処理例を示すフローチャートである。
図４に例示のフローチャートのステップＫ３０４、Ｋ３０６を図２０に例示のステップＫ１８０４に入れ替えてもよい。
ステップＫ３０４、ステップＫ３０６は、「可視光通信でアドレス受信開始」アイコンがクリックされた後に、可視光受光を開始する場合のフローである。
一方、このステップＫ１８０４では、常に可視光センサーを動作させて、可視光通信を受光させる。受光は、発光に比較して電力使用が少ないためである。この場合、「可視光通信でアドレス受信開始」アイコン（具体的には、図１０等に例示した「可視光でプリンタアドレスを受光し、ＷｉＦｉで印刷ジョブを送信」アイコン６２２又は「可視光でプリンタアドレスを受光し、Ｂｌｕｅｔｏｏｔｈで印刷ジョブを送信」アイコン６２４）がクリックされるのを待つことが不要になる。つまり、ユーザーの「可視光通信でアドレス受信開始」アイコンの「クリック」動作が不要になる。ユーザーは、画像ファイルアイコンを選択し、印刷装置１５０が発光している可視光を携帯端末１００で受光するだけで、選択した画像ファイルをプリントすることができる。
【０１３２】
図２１は、本実施の形態による処理例を示すフローチャートである。
図４に例示のフローチャートのステップＰ３０６を図２１に例示のステップＰ１９０６に入れ替えてもよい。
ステップＰ１９０６では、印刷装置１５０が携帯端末１００に、印刷装置１５０のアドレス又は端末名を含む可視光を発光する。アドレス又は端末名は、ＷｉＦｉ無線通信で通信先を示す特定情報の一例である。例えば、ＩＰアドレス、メールアドレス又は端末名等が該当する。さらに、可視光には、印刷装置１５０のプリント特性（使用可能な用紙サイズ、解像度、カラー／白黒、片面／両面等）や状態（プリント可能、故障等）を含めるようにしてもよい。
【０１３３】
図２２は、本実施の形態による処理例を示すフローチャートである。
図５に例示のフローチャートのステップＫ３１２を図２２に例示のステップＫ２０１２に入れ替えてもよい。
ステップＫ２０１２では、常に可視光センサーを動作させる。
この場合、ステップＫ３１２の、「センサーの動作を停止する」動作が不要になる。
【０１３４】
図２３は、本実施の形態による処理例を示すフローチャートである。
図５に例示のフローチャートのステップＫ３１６を図２３に例示のステップＫ２１１６に入れ替えてもよい。
ステップＫ２１１６では、ステップＰ１９０６で、可視光が、印刷装置１５０のプリント特性（使用可能な用紙サイズ、解像度等）を含んでいる場合、そのプリント特性に合わせた画像処理等（例えば、用紙の選択指示、画像の拡大縮小、カラー画像から白黒への変換処理等）を行い、プリントジョブを作成する。
【０１３５】
図２４は、本実施の形態による処理例を示すフローチャートである。
図５に例示のフローチャートのステップＫ３２０を図２４に例示のステップＫ２２２０、図５に例示のフローチャートのステップＰ３０８を図２４に例示のステップＰ２２０８に入れ替えてもよい。
ステップＫ２２２０では、携帯端末１００から印刷装置１５０への通信として、この可視光通信フローに基づくプリントジョブであることを示す情報（「可視光通信によって印刷装置１５０を特定するための特定情報を受信したことによって通信（ステップＫ２２２０の通信）を行っていることを示す情報」）を含める。
ステップＰ２２０８では、可視光通信フローに基づくプリントジョブを受信したかを判断し、受信した場合はステップＰ３１６へ進み、それ以外の場合はステップＰ３１０へ進む。
ステップＰ３１０では、予め定められた時間（例えば、５分等）が経過したか否かを判断し、経過した場合はステップＰ３１２へ進み、それ以外の場合はステップＰ３１１Ａへ進む。
ステップＰ３１１Ａでは、人の離脱（印刷装置１５０と人との距離が閾値以上）を検知したか否かを判断し、検知した場合はステップＰ３１１Ｂへ進み、それ以外の場合はステップＰ２２０８へ戻る。また、顔の認識を行っている場合は、ステップＰ３０４で検知した人と同一人物であるか否かによって判断してもよい。なお、ステップＰ３１０、ステップＰ３１１Ａの判断処理は、いずれを先に行ってもよい。
【０１３６】
ステップＰ２２０８の処理を行わない場合、この可視光通信フローと無関係なプリントジョブをＷｉＦｉ等で受信した場合でも、印刷装置１５０は発光を停止してしまい、このフローを終了してしまうので、ユーザーは再度このフローを開始しなければならないこととなってしまう。
ステップＰ２２０８の処理を行う場合、この可視光通信フローを経ない無関係なプリントジョブを受信しても、フローを終了しない。印刷装置１５０は、可視光通信フローに基づくプリントジョブを受信するまで待つ。したがって、ユーザーの期待通りに動作することとなる。なお、待機している間に、この可視光通信フローを経ない無関係なプリントジョブにしたがって、プリントを行うようにしてもよい。
【０１３７】
図２５を参照して、本実施の形態の携帯端末１００、印刷装置１５０のハードウェア構成例について説明する。図２５に示す構成は、例えばパーソナルコンピュータ（ＰＣ）等によって構成されるものであり、スキャナ等のデータ読み取り部２５１７と、プリンタ等のデータ出力部２５１８を備えたハードウェア構成例を示している。なお、携帯端末１００では、データ読み取り部２５１７と、データ出力部２５１８を不要としてもよい。
【０１３８】
ＣＰＵ（Ｃｅｎｔｒａｌ  Ｐｒｏｃｅｓｓｉｎｇ  Ｕｎｉｔ）２５０１は、前述の実施の形態において説明した各種のモジュール、すなわち、可視光通信モジュール１０５、通信モジュール１１０、通信制御モジュール１１５、ユーザーインタフェースモジュール１２０、印刷装置リスト管理モジュール１３０、可視光通信モジュール１５５、通信モジュール１６０、通信制御モジュール１６５、ユーザーインタフェースモジュール１７０、印刷制御モジュール１７５、印刷モジュール１８５、発光制御モジュール１９０、接近検知モジュール１９５等の各モジュールの実行シーケンスを記述したコンピュータ・プログラムにしたがった処理を実行する制御部である。
【０１３９】
ＲＯＭ（Ｒｅａｄ  Ｏｎｌｙ  Ｍｅｍｏｒｙ）２５０２は、ＣＰＵ２５０１が使用するプログラムや演算パラメータ等を格納する。ＲＡＭ（Ｒａｎｄｏｍ  Ａｃｃｅｓｓ  Ｍｅｍｏｒｙ）２５０３は、ＣＰＵ２５０１の実行において使用するプログラムや、その実行において適宜変化するパラメータ等を格納する。これらはＣＰＵバス等から構成されるホストバス２５０４により相互に接続されている。
【０１４０】
ホストバス２５０４は、ブリッジ２５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２５０６に接続されている。
【０１４１】
キーボード２５０８、マウス等のポインティングデバイス２５０９は、操作者により操作されるデバイスである。ディスプレイ２５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２５０９とディスプレイ２５１０の両方の機能を備えているタッチスクリーン等であってもよい。
【０１４２】
ＨＤＤ（Ｈａｒｄ  Ｄｉｓｋ  Ｄｒｉｖｅ）２５１１は、ハードディスク（フラッシュメモリ等であってもよい）を内蔵し、ハードディスクを駆動し、ＣＰＵ２５０１によって実行するプログラムや情報を記録又は再生させる。ハードディスクは、ファイル記憶モジュール１２５、ファイル記憶モジュール１８０等としての機能を実現させる。さらに、その他の各種データ、各種コンピュータ・プログラム等が格納される。
【０１４３】
ドライブ２５１２は、装着されている磁気ディスク、光ディスク、光磁気ディスク、又は半導体メモリ等のリムーバブル記録媒体２５１３に記録されているデータ又はプログラムを読み出して、そのデータ又はプログラムを、インタフェース２５０７、外部バス２５０６、ブリッジ２５０５、及びホストバス２５０４を介して接続されているＲＡＭ２５０３に供給する。なお、リムーバブル記録媒体２５１３も、データ記録領域として利用可能である。
【０１４４】
接続ポート２５１４は、外部接続機器２５１５を接続するポートであり、ＵＳＢ、ＩＥＥＥ１３９４等の接続部を持つ。接続ポート２５１４は、インタフェース２５０７、及び外部バス２５０６、ブリッジ２５０５、ホストバス２５０４等を介してＣＰＵ２５０１等に接続されている。通信部２５１６は、通信回線に接続され、外部とのデータ通信処理を実行する。ここでの通信として、前述したように、可視光通信、可視光通信以外の無線通信等が含まれる。データ読み取り部２５１７は、例えばスキャナであり、ドキュメントの読み取り処理を実行する。データ出力部２５１８は、例えばプリンタであり、ドキュメントデータの出力処理を実行する。
【０１４５】
なお、図２５に示す携帯端末１００、印刷装置１５０のハードウェア構成は、１つの構成例を示すものであり、本実施の形態は、図２５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【０１４６】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【０１４７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【０１４８】
なお、本実施の形態の可視光通信で使用する可視光は、天井の照明のような拡散した可視光でもよく、また、懐中電灯のような収束した可視光でもよい。収束した可視光を使用する場合、拡散した可視光を使用する場合と比較して、希望する送信先だけに可視光を当てることが容易になり、ユーザーが使いやすくなる。
【０１４９】
前述の実施の形態は以下のように把握してもよい。そして、もちろんのことながら、これらと組み合わせてもよい。
［Ａ１］第２の通信の送信先として本画像出力装置を特定するための情報を、可視光通信によって送信する送信手段と、
携帯情報処理装置から、前記情報にしたがった前記第２の通信によって印刷指示を受信する受信手段
を有し、
前記受信手段が印刷指示を受信した場合、前記送信手段は、可視光通信のための発光を停止する、
画像出力装置。
【０１５０】
［Ａ２］人の所在を検知する検知手段
をさらに有し、
人の所在を検知した場合、前記送信手段は可視光通信を開始する、
［Ａ１］に記載の画像出力装置。
【０１５１】
［Ａ３］前記携帯情報処理装置から可視光通信によって、本画像出力装置を特定するための情報の送信指示を受信した場合、前記送信手段は可視光通信を開始する、
［Ａ１］又は［Ａ２］に記載の画像出力装置。
【０１５２】
［Ａ４］前記送信手段は、可視光通信によって、本画像出力装置の特性又は状態を送信する、
［Ａ１］から［Ａ３］のいずれか一項に記載の画像出力装置。
【０１５３】
［Ａ５］前記印刷指示とともに、可視光通信によって画像出力装置を特定するための情報を受信したことによって前記第２の通信を行っていることを示す情報を受信した場合に、該印刷指示にしたがって印刷するように制御する制御手段
をさらに有する［Ａ１］から［Ａ４］のいずれか一項に記載の画像出力装置。
【０１５４】
［Ａ６］前記可視光通信によって送信する場合は、ユーザーが可視光を携帯情報処理装置に当てる動作の示唆を提示する提示手段
をさらに有する［Ａ１］から［Ａ５］のいずれか一項に記載の画像出力装置。
【０１５５】
［Ａ７］第２の通信の送信先として本画像出力装置を特定するための情報を、可視光通信によって送信する送信手段と、
携帯情報処理装置から、前記情報にしたがった前記第２の通信によって印刷指示を受信する受信手段と、
前記印刷指示とともに、可視光通信によって画像出力装置を特定するための情報を受信したことによって前記第２の通信を行っていることを示す情報を受信した場合に、前記可視光通信の送信を停止し、前記印刷指示とともに、前記第２の通信を行っていることを示す情報を受信しない場合に、前記可視光通信の送信を停止しないように制御する制御手段
を有する画像出力装置。
【０１５６】
［Ａ８］第２の通信の送信先として画像出力装置を特定するための情報を、可視光通信によって受信する第１の受信手段と、
前記情報にしたがって、前記第２の通信によって印刷指示を前記画像出力装置に送信する第１の送信手段
を有する携帯情報処理装置と、
前記第２の通信の送信先として本画像出力装置を特定するための情報を、可視光通信によって送信する第２の送信手段と、
前記携帯情報処理装置から、前記情報にしたがった前記第２の通信によって印刷指示を受信する第２の受信手段
を有し、
前記第２の受信手段が印刷指示を受信した場合、前記第２の送信手段は、可視光通信のための発光を停止する、
画像出力装置
を具備する画像出力システム。
【０１５７】
［Ａ９］前記第１の送信手段は、
前記印刷指示の送信先である前記画像出力装置を選択する操作を受け付けることなく、該印刷指示を前記画像出力装置に送信する、
［Ａ８］に記載の画像出力システム。
【０１５８】
［Ａ１０］前記第１の受信手段は、前記情報を受信した場合は、可視光通信の受信を停止する、
［Ａ８］又は［Ａ９］に記載の画像出力システム。
【０１５９】
［Ａ１１］前記第２の送信手段は、可視光通信によって、前記画像出力装置の特性又は状態を送信し、
前記携帯情報処理装置は、
前記第１の受信手段が、可視光通信によって、前記画像出力装置から該画像出力装置の特性又は状態を受信した場合、該特性又は状態にしたがって、前記印刷指示を生成する生成手段
をさらに有し、
前記第１の送信手段は、前記生成手段によって生成された前記印刷指示を送信する、
［Ａ８］から［Ａ１０］のいずれか一項に記載の画像出力システム。
【０１６０】
［Ａ１２］前記第１の送信手段は、可視光通信によって前記画像出力装置を特定するための情報を受信したことによって前記第２の通信を行っていることを示す情報を前記印刷指示とともに送信する、
［Ａ８］から［Ａ１１］のいずれか一項に記載の画像出力システム。
【０１６１】
［Ａ１３］前記携帯情報処理装置は、
前記可視光通信によって画像出力装置を特定するための情報を受信している場合は、ユーザーが可視光を携帯情報処理装置に当てる動作の示唆を提示する提示手段
をさらに有する［Ａ８］から［Ａ１２］のいずれか一項に記載の画像出力システム。
【０１６２】
［Ａ１４］前記携帯情報処理装置は、
前記第１の送信手段による送信の後に、前記第１の受信手段によって受信した画像出力装置を特定するための情報を削除する削除手段
をさらに有する［Ａ８］から［Ａ１３］のいずれか一項に記載の画像出力システム。
【０１６３】
［Ａ１５］前記第１の送信手段は、可視光通信によって前記画像出力装置を特定するための情報を受信したことによって前記第２の通信を行っていることを示す情報を前記印刷指示とともに送信する、
［Ａ８］から［Ａ１４］のいずれか一項に記載の画像出力システム。
【０１６４】
［Ａ１６］送信手段を有する画像出力装置に含まれているコンピュータに、
第２の通信の送信先として本画像出力装置を特定するための情報を、前記送信手段から可視光通信によって送信することと、
携帯情報処理装置から、前記情報にしたがった前記第２の通信によって印刷指示を受信することと、
前記印刷指示を受信した場合、前記可視光通信のための発光を停止させること
を実行させるための画像処理プログラム。
【０１６５】
［Ａ１７］送信手段を有する画像出力装置に含まれているコンピュータに、
第２の通信の送信先として本画像出力装置を特定するための情報を、前記送信手段から可視光通信によって送信することと、
携帯情報処理装置から、前記情報にしたがった前記第２の通信によって印刷指示を受信することと、
前記印刷指示とともに、可視光通信によって画像出力装置を特定するための情報を受信したことによって前記第２の通信を行っていることを示す情報を受信した場合に、前記可視光通信の送信を停止し、前記印刷指示とともに、前記第２の通信を行っていることを示す情報を受信しない場合に、前記可視光通信の送信を停止しないように制御すること
を実行させるための画像処理プログラム。
【０１６６】
そして、前述の発明は、以下の効果を有する。
［Ａ１］の画像出力装置によれば、可視光通信によって、画像出力装置を特定するための情報を受信することができる。また、印刷指示を受信した場合、可視光通信のための発光を停止することができる。
【０１６７】
［Ａ２］の画像出力装置によれば、人の所在を検知した場合、可視光通信を開始することができる。
【０１６８】
［Ａ３］の画像出力装置によれば、携帯情報処理装置から可視光通信によって、本画像出力装置を特定するための情報の送信指示を受信した場合、可視光通信を開始することができる。
【０１６９】
［Ａ４］の画像出力装置によれば、可視光通信によって、本画像出力装置の特性又は状態を送信することができる。
【０１７０】
［Ａ５］の画像出力装置によれば、印刷指示とともに、可視光通信によって画像出力装置を特定するための情報を受信したことによって通信を行っていることを示す情報を受信した場合に、その印刷指示にしたがって印刷するように制御することができる。
【０１７１】
［Ａ６］の画像出力装置によれば、可視光通信によって送信する際に、ユーザーは実施すべき動作がわかりやすくなる。
【０１７２】
［Ａ７］の画像出力装置によれば、印刷指示とともに、可視光通信によって画像出力装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【０１７３】
［Ａ８］の画像出力システムによれば、可視光通信によって、画像出力装置を特定するための情報を受信することができる。また、印刷指示を受信した場合、可視光通信のための発光を停止することができる。
【０１７４】
［Ａ９］の画像出力システムによれば、画像出力装置を選択する操作を受け付けることなく、印刷指示を画像出力装置に送信することができる。
【０１７５】
［Ａ１０］の画像出力システムによれば、情報を受信した場合は、可視光通信の受信を停止することができる。
【０１７６】
［Ａ１１］の画像出力システムによれば、画像出力装置の特性又は状態にしたがって、印刷指示を生成することができる。
【０１７７】
［Ａ１２］の画像出力システムによれば、可視光通信によって画像出力装置を特定するための情報を受信したことによって通信を行っていることを示す情報を印刷指示とともに送信することができる。
【０１７８】
［Ａ１３］の画像出力システムによれば、可視光通信によって画像出力装置を特定するための情報を受信する際に、ユーザーは実施すべき動作がわかりやすくなる。
【０１７９】
［Ａ１４］の画像出力システムによれば、第１の送信手段による送信の後に、第１の受信手段によって受信した画像出力装置を特定するための情報を削除することができる。
【０１８０】
［Ａ１５］の画像出力システムによれば、第１の送信手段は、可視光通信によって画像出力装置を特定するための情報を受信したことによって通信を行っていることを示す情報を印刷指示とともに送信することができる。
【０１８１】
［Ａ１６］の画像処理プログラムによれば、可視光通信によって、画像出力装置を特定するための情報を受信することができる。また、印刷指示を受信した場合、可視光通信のための発光を停止することができる。
【０１８２】
［Ａ１７］の画像処理プログラムによれば、印刷指示とともに、可視光通信によって画像出力装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【０１８３】
また、前述の実施の形態は以下のように把握してもよい。
［Ｂ１］第２の通信の送信先として本画像出力装置を特定するための情報を、可視光通信によって送信する送信手段と、
携帯情報処理装置から、前記情報にしたがった前記第２の通信によって印刷指示を受信する受信手段と、
予め定められた時間内に前記印刷指示を受信しなかった場合、前記可視光通信の動作を停止させ、印刷指示を受けなかった旨を提示する提示手段
を有する画像出力装置。
【０１８４】
［Ｂ２］人の所在を検知する検知手段
をさらに有し、
人の所在を検知した場合、前記送信手段は可視光通信を開始する、
［Ｂ１］に記載の画像出力装置。
【０１８５】
［Ｂ３］前記携帯情報処理装置から可視光通信によって、本画像出力装置を特定するための情報の送信指示を受信した場合、前記送信手段は可視光通信を開始する、
［Ｂ１］又は［Ｂ２］に記載の画像出力装置。
【０１８６】
［Ｂ４］前記送信手段は、可視光通信によって、本画像出力装置の特性又は状態を送信する、
［Ｂ１］から［Ｂ３］のいずれか一項に記載の画像出力装置。
【０１８７】
［Ｂ５］前記印刷指示とともに、可視光通信によって画像出力装置を特定するための情報を受信したことによって前記第２の通信を行っていることを示す情報を受信した場合に、該印刷指示にしたがって印刷するように制御する制御手段
をさらに有する［Ｂ１］から［Ｂ４］のいずれか一項に記載の画像出力装置。
【０１８８】
［Ｂ６］前記可視光通信によって送信する場合は、ユーザーが可視光を携帯情報処理装置に当てる動作の示唆を提示する提示手段
をさらに有する［Ｂ１］から［Ｂ５］のいずれか一項に記載の画像出力装置。
【０１８９】
［Ｂ７］前記印刷指示とともに、可視光通信によって画像出力装置を特定するための情報を受信したことによって前記第２の通信を行っていることを示す情報を受信した場合に、前記可視光通信の送信を停止し、前記印刷指示とともに、前記第２の通信を行っていることを示す情報を受信しない場合に、前記可視光通信の送信を停止しないように制御する制御手段
をさらに有する［Ｂ１］から［Ｂ６］のいずれか一項に記載の画像出力装置。
【０１９０】
［Ｂ８］第２の通信の送信先として画像出力装置を特定するための情報を、可視光通信によって受信する第１の受信手段と、
前記情報にしたがって、前記第２の通信によって印刷指示を前記画像出力装置に送信する第１の送信手段
を有する携帯情報処理装置と、
第２の通信の送信先として本画像出力装置を特定するための情報を、可視光通信によって送信する第２の送信手段と、
携帯情報処理装置から、前記情報にしたがった前記第２の通信によって印刷指示を受信する第２の受信手段と、
予め定められた時間内に前記印刷指示を受信しなかった場合、前記可視光通信の動作を停止させ、印刷指示を受けなかった旨を提示する提示手段
を有する画像出力装置
を具備する画像出力システム。
【０１９１】
［Ｂ９］前記第１の送信手段は、
前記印刷指示の送信先である前記画像出力装置を選択する操作を受け付けることなく、該印刷指示を前記画像出力装置に送信する、
［Ｂ８］に記載の画像出力システム。
【０１９２】
［Ｂ１０］前記第１の受信手段は、前記情報を受信した場合は、可視光通信の受信を停止する、
［Ｂ８］又は［Ｂ９］に記載の画像出力システム。
【０１９３】
［Ｂ１１］前記第２の送信手段は、可視光通信によって、前記画像出力装置の特性又は状態を送信し、
前記携帯情報処理装置は、
前記第１の受信手段が、可視光通信によって、前記画像出力装置から該画像出力装置の特性又は状態を受信した場合、該特性又は状態にしたがって、前記印刷指示を生成する生成手段
をさらに有し、
前記第１の送信手段は、前記生成手段によって生成された前記印刷指示を送信する、
［Ｂ８］から［Ｂ１０］のいずれか一項に記載の画像出力システム。
【０１９４】
［Ｂ１２］前記第１の送信手段は、可視光通信によって前記画像出力装置を特定するための情報を受信したことによって前記第２の通信を行っていることを示す情報を前記印刷指示とともに送信する、
［Ｂ８］から［Ｂ１１］のいずれか一項に記載の画像出力システム。
【０１９５】
［Ｂ１３］前記携帯情報処理装置は、
前記可視光通信によって画像出力装置を特定するための情報を受信している場合は、ユーザーが可視光を携帯情報処理装置に当てる動作の示唆を提示する提示手段
をさらに有する［Ｂ８］から［Ｂ１２］のいずれか一項に記載の画像出力システム。
【０１９６】
［Ｂ１４］前記携帯情報処理装置は、
前記第１の送信手段による送信の後に、前記第１の受信手段によって受信した画像出力装置を特定するための情報を削除する削除手段
をさらに有する［Ｂ８］から［Ｂ１３］のいずれか一項に記載の画像出力システム。
【０１９７】
［Ｂ１５］前記第１の送信手段は、可視光通信によって前記画像出力装置を特定するための情報を受信したことによって前記第２の通信を行っていることを示す情報を前記印刷指示とともに送信する、
［Ｂ８］から［Ｂ１４］のいずれか一項に記載の画像出力システム。
【０１９８】
［Ｂ１６］送信手段と提示手段とを有する画像出力装置に含まれているコンピュータに、
第２の通信の送信先として本画像出力装置を特定するための情報を、前記送信手段から可視光通信によって送信させることと、
携帯情報処理装置から、前記情報にしたがった前記第２の通信によって印刷指示を受信することと、
予め定められた時間内に前記印刷指示を受信しなかった場合、前記可視光通信の動作を停止させ、前記提示手段に印刷指示を受けなかった旨を提示させること
を実行させるための画像処理プログラム。
【０１９９】
そして、前述の発明は、以下の効果を有する。
［Ｂ１］の画像出力装置によれば、可視光通信によって、本画像出力装置と通信を行うための画像出力装置を特定するための情報を送信することができる。
【０２００】
［Ｂ２］の画像出力装置によれば、人の所在を検知した場合、可視光通信を開始することができる。
【０２０１】
［Ｂ３］の画像出力装置によれば、携帯情報処理装置から可視光通信によって、本画像出力装置を特定するための情報の送信指示を受信した場合、可視光通信を開始することができる。
【０２０２】
［Ｂ４］の画像出力装置によれば、可視光通信によって、本画像出力装置の特性又は状態を送信することができる。
【０２０３】
［Ｂ５］の画像出力装置によれば、印刷指示とともに、可視光通信によって画像出力装置を特定するための情報を受信したことによって通信を行っていることを示す情報を受信した場合に、その印刷指示にしたがって印刷するように制御することができる。
【０２０４】
［Ｂ６］の画像出力装置によれば、可視光通信によって送信する際に、ユーザーは実施すべき動作がわかりやすくなる。
【０２０５】
［Ｂ７］の画像出力装置によれば、印刷指示とともに、可視光通信によって画像出力装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【０２０６】
［Ｂ８］の画像出力システムによれば、可視光通信によって、画像出力装置を特定するための情報を送受信することができる。
【０２０７】
［Ｂ９］の画像出力システムによれば、画像出力装置を選択する操作を受け付けることなく、印刷指示を画像出力装置に送信することができる。
【０２０８】
［Ｂ１０］の画像出力システムによれば、情報を受信した場合は、可視光通信の受信を停止することができる。
【０２０９】
［Ｂ１１］の画像出力システムによれば、画像出力装置の特性又は状態にしたがって、印刷指示を生成することができる。
【０２１０】
［Ｂ１２］の画像出力システムによれば、可視光通信によって画像出力装置を特定するための情報を受信したことによって通信を行っていることを示す情報を印刷指示とともに送信することができる。
【０２１１】
［Ｂ１３］の画像出力システムによれば、可視光通信によって画像出力装置を特定するための情報を受信する際に、ユーザーは実施すべき動作がわかりやすくなる。
【０２１２】
［Ｂ１４］の画像出力システムによれば、第１の送信手段による送信の後に、第１の受信手段によって受信した画像出力装置を特定するための情報を削除することができる。
【０２１３】
［Ｂ１５］の画像出力システムによれば、第１の送信手段は、可視光通信によって画像出力装置を特定するための情報を受信したことによって通信を行っていることを示す情報を印刷指示とともに送信することができる。
【０２１４】
［Ｂ１６］の画像処理プログラムによれば、可視光通信によって、画像出力装置と通信を行うための画像出力装置を特定するための情報を送信することができる。
【０２１５】
また、前述の実施の形態は以下のように把握してもよい。
［Ｃ１］撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有する印刷装置。
【０２１６】
［Ｃ２］無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有する印刷装置。
【０２１７】
［Ｃ３］無線通信の送信先として本印刷装置を特定するための特定情報を、可視光通信によって送信する送信手段と、
携帯情報処理装置から、前記特定情報にしたがった前記無線通信によって印刷指示を受信する受信手段と、
人の所在を検知する検知手段
を有し、
前記検知手段が人の所在を検知した場合、低消費電力モードを維持したまま、前記送信手段は可視光通信を開始する、
印刷装置。
【０２１８】
［Ｃ４］撮像手段と、
撮像用照明手段
をさらに有し、
前記送信手段は、前記撮像用照明手段を用いて、可視光通信による送信を行う、
［Ｃ３］に記載の印刷装置。
【０２１９】
［Ｃ５］前記撮像手段は、人の接近を検知するための検知用撮像手段又は顔を撮像するための顔撮像手段であり、
前記撮像用照明手段は、前記検知用撮像手段又は前記顔撮像手段のいずれかの近傍に存在する、
［Ｃ１］又は［Ｃ４］に記載の印刷装置。
【０２２０】
［Ｃ６］前記受信手段が印刷指示を受信した場合、前記送信手段は、可視光通信のための発光を停止する、
［Ｃ１］から［Ｃ５］のいずれか一項に記載の印刷装置。
【０２２１】
［Ｃ７］無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有する印刷装置。
【０２２２】
［Ｃ８］前記携帯情報処理装置から、前記特定情報にしたがった前記無線通信によって印刷指示を受信する受信手段
をさらに有し、
前記受信手段が印刷指示を受信した場合、前記送信手段は、可視光通信のための発光を停止する、
［Ｃ７］に記載の印刷装置。
【０２２３】
［Ｃ９］前記携帯情報処理装置から可視光通信によって、本印刷装置を特定するための情報の送信指示を受信した場合、前記送信手段は可視光通信を開始する、
［Ｃ１］から［Ｃ８］のいずれか一項に記載の印刷装置。
【０２２４】
［Ｃ１０］前記送信手段は、可視光通信によって、本印刷装置の特性又は状態を送信する、
［Ｃ１］から［Ｃ９］のいずれか一項に記載の印刷装置。
【０２２５】
［Ｃ１１］前記印刷指示と、可視光通信によって印刷装置を特定するための情報を受信したことによって前記無線通信を行っていることを示す情報を受信した場合に、該印刷指示にしたがって印刷するように制御する制御手段
をさらに有する［Ｃ１］から［Ｃ１０］のいずれか一項に記載の印刷装置。
【０２２６】
［Ｃ１２］前記印刷指示と、可視光通信によって印刷装置を特定するための情報を受信したことによって前記無線通信を行っていることを示す情報を受信した場合に、前記可視光通信の送信を停止し、前記印刷指示と、前記無線通信を行っていることを示す情報を受信しない場合に、前記可視光通信の送信を停止しないように制御する通信制御手段
をさらに有する［Ｃ１］から［Ｃ１１］のいずれか一項に記載の印刷装置。
【０２２７】
［Ｃ１３］予め定められた時間内に前記印刷指示を受信しなかった場合、前記可視光通信の動作を停止させ、印刷指示を受けなかった旨を提示する提示手段
をさらに有する［Ｃ１］から［Ｃ１２］のいずれか一項に記載の印刷装置。
【０２２８】
［Ｃ１４］前記無線通信は、可視光通信とは異なる通信である、
［Ｃ１］から［Ｃ１３］のいずれか一項に記載の印刷装置。
【０２２９】
［Ｃ１５］無線通信の送信先として印刷装置を特定するための特定情報を、可視光通信によって受信する第１受信手段と、
前記特定情報を、前記無線通信によって受信する第２受信手段と、
前記第１受信手段で前記特定情報を受信した場合、前記無線通信の送信先として印刷装置を選択するための選択リストに受信した前記特定情報を追加しないリスト管理手段
を有する携帯情報処理装置。
【０２３０】
［Ｃ１６］前記リスト管理手段は、前記第２受信手段で前記特定情報を受信した場合、前記選択リストに受信した前記特定情報を追加する、
［Ｃ１５］に記載の携帯情報処理装置。
【０２３１】
［Ｃ１７］前記特定情報にしたがって、前記無線通信によって印刷指示を前記印刷装置に送信する送信手段
をさらに有する［Ｃ１５］又は［Ｃ１６］に記載の携帯情報処理装置。
【０２３２】
［Ｃ１８］前記送信手段は、
前記印刷指示の送信先である前記印刷装置を選択する操作を受け付けることなく、該印刷指示を前記印刷装置に送信する、
［Ｃ１５］から［Ｃ１７］のいずれか一項に記載の携帯情報処理装置。
【０２３３】
［Ｃ１９］前記第１受信手段は、前記特定情報を受信した場合は、可視光通信の受信を停止する、
［Ｃ１５］から［Ｃ１８］のいずれか一項に記載の携帯情報処理装置。
【０２３４】
［Ｃ２０］前記第１受信手段が、可視光通信によって、前記印刷装置から該印刷装置の特性又は状態を受信した場合、該特性又は状態にしたがって、前記印刷指示を生成する生成手段
をさらに有し、
前記送信手段は、前記生成手段によって生成された前記印刷指示を送信する、
［Ｃ１７］、又は、［Ｃ１７］を直接又は間接に引用する［Ｃ１８］若しくは［Ｃ１９］のいずれか一項に記載の携帯情報処理装置。
【０２３５】
［Ｃ２１］前記送信手段は、可視光通信によって前記印刷装置を特定するための情報を受信したことによって前記無線通信を行っていることを示す情報と前記印刷指示を送信する、
［Ｃ１５］から［Ｃ２０］のいずれか一項に記載の携帯情報処理装置。
【０２３６】
［Ｃ２２］前記可視光通信によって印刷装置を特定するための情報を受信している場合は、ユーザーが可視光を携帯情報処理装置に当てる動作の示唆を提示する提示手段
をさらに有する［Ｃ１５］から［Ｃ２１］のいずれか一項に記載の携帯情報処理装置。
【０２３７】
［Ｃ２３］前記送信手段による送信の後に、前記第１受信手段によって受信した印刷装置を特定するための情報を削除する削除手段
をさらに有する［Ｃ１５］から［Ｃ２２］のいずれか一項に記載の携帯情報処理装置。
【０２３８】
［Ｃ２４］前記無線通信は、可視光通信とは異なる通信である、
［Ｃ１５］から［Ｃ２３］のいずれか一項に記載の携帯情報処理装置。
【０２３９】
［Ｃ２５］撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有する印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０２４０】
［Ｃ２６］無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有する印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０２４１】
［Ｃ２７］無線通信の送信先として本印刷装置を特定するための特定情報を、可視光通信によって送信する送信手段と、
携帯情報処理装置から、前記特定情報にしたがった前記無線通信によって印刷指示を受信する受信手段と、
人の所在を検知する検知手段
を有し、
前記検知手段が人の所在を検知した場合、低消費電力モードを維持したまま、前記送信手段は可視光通信を開始する、
印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０２４２】
［Ｃ２８］無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有する印刷装置と、
前記印刷装置から、可視光通信によって前記特定情報を受信する受信手段
を有する携帯情報処理装置
を具備する印刷システム。
【０２４３】
［Ｃ２９］無線通信の送信先として印刷装置を特定するための特定情報を、可視光通信によって受信する第１受信手段と、
前記特定情報を、前記無線通信によって受信する第２受信手段と、
前記第１受信手段で前記特定情報を受信した場合、前記無線通信の送信先として印刷装置を選択するための選択リストに受信した前記特定情報を追加しないリスト管理手段
を有する携帯情報処理装置と、
無線通信の送信先として本印刷装置を特定するための特定情報を、可視光通信によって送信する送信手段
を有する印刷装置
を具備する印刷システム。
【０２４４】
［Ｃ３０］撮像手段と撮像用照明手段と送信手段と受信手段を有する印刷装置であるコンピュータに、
無線通信の送信先として本印刷装置を特定するための特定情報を、前記撮像用照明手段を用いて、可視光通信によって送信することを前記送信手段に行わせることと、
携帯情報処理装置から、前記特定情報にしたがった前記無線通信によって印刷指示を受信することを前記受信手段に行わせること
を実行させるための印刷処理プログラム。
【０２４５】
［Ｃ３１］送信手段と受信手段を有する印刷装置であるコンピュータに、
無線通信の送信先として本印刷装置を特定するための特定情報を、低消費電力モードを維持したまま、可視光通信によって送信することを前記送信手段に行わせることと、
携帯情報処理装置から、前記特定情報にしたがった前記無線通信によって印刷指示を受信することを前記受信手段に行わせること
を実行させるための印刷処理プログラム。
【０２４６】
［Ｃ３２］送信手段と受信手段と検知手段を有する印刷装置であるコンピュータに、
無線通信の送信先として本印刷装置を特定するための特定情報を、可視光通信によって送信することを前記送信手段に行わせることと、
携帯情報処理装置から、前記特定情報にしたがった前記無線通信によって印刷指示を受信することを前記受信手段に行わせることと、
人の所在を検知することを前記検知手段に行わせること
を実行させ、
前記検知手段が人の所在を検知した場合、低消費電力モードを維持したまま、前記送信手段に可視光通信を開始させる、
印刷処理プログラム。
【０２４７】
［Ｃ３３］送信手段と提示手段を有する印刷装置であるコンピュータに、
無線通信の送信先として本印刷装置を特定するための特定情報を、可視光通信によって携帯情報処理装置の受光部に送信することを前記送信手段に行わせることと、
前記可視光通信によって前記特定情報を前記携帯情報処理装置に送信する場合は、ユーザーが可視光を前記携帯情報処理装置の受光部に当てる動作の示唆を提示することを前記提示手段に行わせること
を実行させるための印刷処理プログラム。
【０２４８】
［Ｃ３４］第１受信手段と第２受信手段とリスト管理手段を有する携帯情報処理装置であるコンピュータに、
無線通信の送信先として印刷装置を特定するための特定情報を、可視光通信によって受信することを前記第１受信手段に行わせることと、
前記特定情報を、前記無線通信によって受信することを前記第２受信手段に行わせることと、
前記第１受信手段で前記特定情報を受信した場合、前記無線通信の送信先として印刷装置を選択するための選択リストに受信した前記特定情報を追加しないことを前記リスト管理手段に行わせること
を実行させるための携帯情報処理プログラム。
【０２４９】
そして、前述の発明は、以下の効果を有する。
［Ｃ１］の印刷装置によれば、印刷装置を特定するための情報を送信するために、印刷装置の撮像用照明部が可視光通信の発光部を兼ねることができる。
【０２５０】
［Ｃ２］の印刷装置によれば、低消費電力モードを解除する場合に比べて、消費電力を低くすることができる。
【０２５１】
［Ｃ３］の印刷装置によれば、低消費電力モードを解除する場合に比べて、消費電力を低くすることができる。
【０２５２】
［Ｃ４］の印刷装置によれば、印刷装置を特定するための情報を送信するために、印刷装置の撮像用照明部が可視光通信の発光部を兼ねることができる。
【０２５３】
［Ｃ５］の印刷装置によれば、撮像手段として、検知用撮像手段又は顔撮像手段を用いることができる。
【０２５４】
［Ｃ６］の印刷装置によれば、発光を停止しない場合に比べて、消費電力を低くすることができる。
【０２５５】
［Ｃ７］の印刷装置によれば、可視光通信によって送信する際に、ユーザーは実施すべき動作がわかりやすくなる。
【０２５６】
［Ｃ８］の印刷装置によれば、発光を停止しない場合に比べて、消費電力を低くすることができる。
【０２５７】
［Ｃ９］の印刷装置によれば、携帯情報処理装置から可視光通信によって、本印刷装置を特定するための情報の送信指示を受信した場合、可視光通信を開始することができる。
【０２５８】
［Ｃ１０］の印刷装置によれば、可視光通信によって、本印刷装置の特性又は状態を送信することができる。
【０２５９】
［Ｃ１１］の印刷装置によれば、印刷指示とともに、可視光通信によって印刷装置を特定するための情報を受信したことによって通信を行っていることを示す情報を受信した場合に、その印刷指示にしたがって印刷するように制御することができる。
【０２６０】
［Ｃ１２］の印刷装置によれば、印刷指示とともに、可視光通信によって印刷装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【０２６１】
［Ｃ１３］の印刷装置によれば、可視光通信によって、本印刷装置と通信を行うための印刷装置を特定するための情報を送信することができる。
【０２６２】
［Ｃ１４］の印刷装置によれば、無線通信として、可視光通信とは異なる通信を用いることができる。
【０２６３】
［Ｃ１５］の携帯情報処理装置によれば、可視光通信によって受信した特定情報を選択リストに含めないようにすることができる。
【０２６４】
［Ｃ１６］の携帯情報処理装置によれば、無線通信によって受信した特定情報を選択リストに含めるようにすることができる。
【０２６５】
［Ｃ１７］の携帯情報処理装置によれば、無線通信によって印刷指示を印刷装置に送信することができる。
【０２６６】
［Ｃ１８］の携帯情報処理装置によれば、印刷装置を選択する操作を受け付けることなく、印刷指示を印刷装置に送信することができる。
【０２６７】
［Ｃ１９］の携帯情報処理装置によれば、情報を受信した場合は、可視光通信の受信を停止することができる。
【０２６８】
［Ｃ２０］の携帯情報処理装置によれば、印刷装置の特性又は状態にしたがって、印刷指示を生成することができる。
【０２６９】
［Ｃ２１］の携帯情報処理装置によれば、可視光通信によって印刷装置を特定するための情報を受信したことによって通信を行っていることを示す情報を印刷指示とともに送信することができる。
【０２７０】
［Ｃ２２］の携帯情報処理装置によれば、可視光通信によって印刷装置を特定するための情報を受信する際に、ユーザーは実施すべき動作がわかりやすくなる。
【０２７１】
［Ｃ２３］の携帯情報処理装置によれば、送信手段による送信の後に、第１受信手段によって受信した印刷装置を特定するための情報を削除することができる。
【０２７２】
［Ｃ２４］の携帯情報処理装置によれば、無線通信として、可視光通信とは異なる通信を用いることができる。
【０２７３】
［Ｃ２５］の印刷システムによれば、印刷装置を特定するための情報を送信するために、印刷装置の撮像用照明部が可視光通信の発光部を兼ねることができる。
【０２７４】
［Ｃ２６］の印刷システムによれば、低消費電力モードを解除する場合に比べて、消費電力を低くすることができる。
【０２７５】
［Ｃ２７］の印刷システムによれば、低消費電力モードを解除する場合に比べて、消費電力を低くすることができる。
【０２７６】
［Ｃ２８］の印刷システムによれば、可視光通信によって送信する際に、ユーザーは実施すべき動作がわかりやすくなる。
【０２７７】
［Ｃ２９］の印刷システムによれば、可視光通信によって受信した特定情報を選択リストに含めないようにすることができる。
【０２７８】
［Ｃ３０］の印刷処理プログラムによれば、印刷装置を特定するための情報を送信するために、印刷装置の撮像用照明部が可視光通信の発光部を兼ねることができる。
【０２７９】
［Ｃ３１］の印刷処理プログラムによれば、低消費電力モードを解除する場合に比べて、消費電力を低くすることができる。
【０２８０】
［Ｃ３２］の印刷処理プログラムによれば、低消費電力モードを解除する場合に比べて、消費電力を低くすることができる。
【０２８１】
［Ｃ３３］の印刷処理プログラムによれば、可視光通信によって送信する際に、ユーザーは実施すべき動作がわかりやすくなる。
【０２８２】
［Ｃ３４］の携帯情報処理プログラムによれば、可視光通信によって受信した特定情報を選択リストに含めないようにすることができる。
【０２８３】
また、前述の実施の形態は以下のように把握してもよい。
［Ｄ１］撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有する印刷装置。
【０２８４】
［Ｄ２］無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有する印刷装置。
【０２８５】
［Ｄ３］無線通信の送信先として本印刷装置を特定するための特定情報を、可視光通信によって送信する送信手段と、
携帯情報処理装置から、前記特定情報にしたがった前記無線通信によって印刷指示を受信する受信手段と、
人の所在を検知する検知手段
を有し、
前記検知手段が人の所在を検知した場合、低消費電力モードを維持したまま、前記送信手段は可視光通信を開始する、
印刷装置。
【０２８６】
［Ｄ４］撮像手段と、
撮像用照明手段
をさらに有し、
前記送信手段は、前記撮像用照明手段を用いて、可視光通信による送信を行う、
［Ｄ３］に記載の印刷装置。
【０２８７】
［Ｄ５］前記撮像手段は、人の接近を検知するための検知用撮像手段又は顔を撮像するための顔撮像手段であり、
前記撮像用照明手段は、人の接近を検知するための検知用照明手段又は顔を撮像するための顔撮像用照明手段であり、前記検知用撮像手段又は前記顔撮像手段のいずれかの近傍に存在する、
［Ｄ１］又は［Ｄ４］に記載の印刷装置。
【０２８８】
［Ｄ６］前記受信手段が印刷指示を受信した場合、前記送信手段は、可視光通信のための発光を停止する、
［Ｄ１］から［Ｄ５］のいずれか一項に記載の印刷装置。
【０２８９】
［Ｄ７］無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有する印刷装置。
【０２９０】
［Ｄ８］前記携帯情報処理装置から、前記特定情報にしたがった前記無線通信によって印刷指示を受信する受信手段
をさらに有し、
前記受信手段が印刷指示を受信した場合、前記送信手段は、可視光通信のための発光を停止する、
［Ｄ７］に記載の印刷装置。
【０２９１】
［Ｄ９］前記携帯情報処理装置から可視光通信によって、本印刷装置を特定するための情報の送信指示を受信した場合、前記送信手段は可視光通信を開始する、
［Ｄ１］から［Ｄ８］のいずれか一項に記載の印刷装置。
【０２９２】
［Ｄ１０］前記送信手段は、可視光通信によって、本印刷装置の特性又は状態を送信する、
［Ｄ１］から［Ｄ９］のいずれか一項に記載の印刷装置。
【０２９３】
［Ｄ１１］前記印刷指示と、可視光通信によって印刷装置を特定するための情報を受信したことによって前記無線通信を行っていることを示す情報を受信した場合に、該印刷指示にしたがって印刷するように制御する制御手段
をさらに有する［Ｄ１］から［Ｄ１０］のいずれか一項に記載の印刷装置。
【０２９４】
［Ｄ１２］前記印刷指示と、可視光通信によって印刷装置を特定するための情報を受信したことによって前記無線通信を行っていることを示す情報を受信した場合に、前記可視光通信の送信を停止し、前記印刷指示と、前記無線通信を行っていることを示す情報を受信しない場合に、前記可視光通信の送信を停止しないように制御する通信制御手段
をさらに有する［Ｄ１］から［Ｄ１１］のいずれか一項に記載の印刷装置。
【０２９５】
［Ｄ１３］予め定められた時間内に前記印刷指示を受信しなかった場合、前記可視光通信の動作を停止させ、印刷指示を受けなかった旨を提示する第２の提示手段
をさらに有する［Ｄ１］から［Ｄ１２］のいずれか一項に記載の印刷装置。
【０２９６】
［Ｄ１４］前記無線通信は、可視光通信とは異なる通信である、
［Ｄ１］から［Ｄ１３］のいずれか一項に記載の印刷装置。
【０２９７】
［Ｄ１５］無線通信の送信先として印刷装置を特定するための特定情報を、可視光通信によって受信する第１受信手段と、
前記特定情報を、前記無線通信によって受信する第２受信手段と、
前記第１受信手段で前記特定情報を受信した場合、前記無線通信の送信先として印刷装置を選択するための選択リストに受信した前記特定情報を追加しないリスト管理手段
を有する携帯情報処理装置。
【０２９８】
［Ｄ１６］前記リスト管理手段は、前記第２受信手段で前記特定情報を受信した場合、前記選択リストに受信した前記特定情報を追加する、
［Ｄ１５］に記載の携帯情報処理装置。
【０２９９】
［Ｄ１７］前記特定情報にしたがって、前記無線通信によって印刷指示を前記印刷装置に送信する送信手段
をさらに有する［Ｄ１５］又は［Ｄ１６］に記載の携帯情報処理装置。
【０３００】
［Ｄ１８］前記送信手段は、
前記印刷指示の送信先である前記印刷装置を選択する操作を受け付けることなく、該印刷指示を前記印刷装置に送信する、
［Ｄ１５］から［Ｄ１７］のいずれか一項に記載の携帯情報処理装置。
【０３０１】
［Ｄ１９］前記第１受信手段は、前記特定情報を受信した場合は、可視光通信の受信を停止する、
［Ｄ１５］から［Ｄ１８］のいずれか一項に記載の携帯情報処理装置。
【０３０２】
［Ｄ２０］前記第１受信手段が、可視光通信によって、前記印刷装置から該印刷装置の特性又は状態を受信した場合、該特性又は状態にしたがって、前記印刷指示を生成する生成手段
をさらに有し、
前記送信手段は、前記生成手段によって生成された前記印刷指示を送信する、
［Ｄ１７］、又は、［Ｄ１７］を直接又は間接に引用する［Ｄ１８］若しくは［Ｄ１９］のいずれか一項に記載の携帯情報処理装置。
【０３０３】
［Ｄ２１］前記送信手段は、可視光通信によって前記印刷装置を特定するための情報を受信したことによって前記無線通信を行っていることを示す情報と前記印刷指示を送信する、
［Ｄ１５］から［Ｄ２０］のいずれか一項に記載の携帯情報処理装置。
【０３０４】
［Ｄ２２］前記可視光通信によって印刷装置を特定するための情報を受信している場合は、ユーザーが可視光を携帯情報処理装置に当てる動作の示唆を提示する提示手段
をさらに有する［Ｄ１５］から［Ｄ２１］のいずれか一項に記載の携帯情報処理装置。
【０３０５】
［Ｄ２３］前記送信手段による送信の後に、前記第１受信手段によって受信した印刷装置を特定するための情報を削除する削除手段
をさらに有する［Ｄ１５］から［Ｄ２２］のいずれか一項に記載の携帯情報処理装置。
【０３０６】
［Ｄ２４］前記無線通信は、可視光通信とは異なる通信である、
［Ｄ１５］から［Ｄ２３］のいずれか一項に記載の携帯情報処理装置。
【０３０７】
［Ｄ２５］撮像手段と、
撮像用照明手段と、
無線通信の送信先として本印刷装置を特定するための特定情報を、前記撮像用照明手段を用いて、可視光通信によって送信する送信手段と、
携帯情報処理装置から、前記特定情報にしたがった前記無線通信によって印刷指示を受信する受信手段
を有する印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０３０８】
［Ｄ２６］無線通信の送信先として本印刷装置を特定するための特定情報を、低消費電力モードを維持したまま、可視光通信によって送信する送信手段と、
携帯情報処理装置から、前記特定情報にしたがった前記無線通信によって印刷指示を受信する受信手段
を有する印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０３０９】
［Ｄ２７］無線通信の送信先として本印刷装置を特定するための特定情報を、可視光通信によって送信する送信手段と、
携帯情報処理装置から、前記特定情報にしたがった前記無線通信によって印刷指示を受信する受信手段と、
人の所在を検知する検知手段
を有し、
前記検知手段が人の所在を検知した場合、低消費電力モードを維持したまま、前記送信手段は可視光通信を開始する、
印刷装置と、
前記印刷装置から、可視光通信によって前記特定情報を受信する受信手段と、
前記特定情報にしたがった前記無線通信によって印刷指示を送信する送信手段
を有する携帯情報処理装置
を具備する印刷システム。
【０３１０】
［Ｄ２８］無線通信の送信先として本印刷装置を特定するための特定情報を、可視光通信によって携帯情報処理装置の受光部に送信する送信手段と、
前記可視光通信によって前記特定情報を前記携帯情報処理装置に送信する場合は、ユーザーが可視光を前記携帯情報処理装置の受光部に当てる動作の示唆を提示する提示手段
を有する印刷装置と、
前記印刷装置から、可視光通信によって前記特定情報を受信する受信手段
を有する携帯情報処理装置
を具備する印刷システム。
【０３１１】
［Ｄ２９］無線通信の送信先として印刷装置を特定するための特定情報を、可視光通信によって受信する第１受信手段と、
前記特定情報を、前記無線通信によって受信する第２受信手段と、
前記第１受信手段で前記特定情報を受信した場合、前記無線通信の送信先として印刷装置を選択するための選択リストに受信した前記特定情報を追加しないリスト管理手段
を有する携帯情報処理装置と、
無線通信の送信先として本印刷装置を特定するための特定情報を、可視光通信によって送信する送信手段
を有する印刷装置
を具備する印刷システム。
【０３１２】
［Ｄ３０］撮像手段と撮像用照明手段と送信手段と受信手段を有する印刷装置であるコンピュータに、
無線通信の送信先として本印刷装置を特定するための特定情報を、前記撮像用照明手段を用いて、可視光通信によって送信することを前記送信手段に行わせることと、
携帯情報処理装置から、前記特定情報にしたがった前記無線通信によって印刷指示を受信することを前記受信手段に行わせること
を実行させるための印刷処理プログラム。
【０３１３】
［Ｄ３１］送信手段と受信手段を有する印刷装置であるコンピュータに、
無線通信の送信先として本印刷装置を特定するための特定情報を、低消費電力モードを維持したまま、可視光通信によって送信することを前記送信手段に行わせることと、
携帯情報処理装置から、前記特定情報にしたがった前記無線通信によって印刷指示を受信することを前記受信手段に行わせること
を実行させるための印刷処理プログラム。
【０３１４】
［Ｄ３２］送信手段と受信手段と検知手段を有する印刷装置であるコンピュータに、
無線通信の送信先として本印刷装置を特定するための特定情報を、可視光通信によって送信することを前記送信手段に行わせることと、
携帯情報処理装置から、前記特定情報にしたがった前記無線通信によって印刷指示を受信することを前記受信手段に行わせることと、
人の所在を検知することを前記検知手段に行わせること
を実行させ、
前記検知手段が人の所在を検知した場合、低消費電力モードを維持したまま、前記送信手段に可視光通信を開始させる、
印刷処理プログラム。
【０３１５】
［Ｄ３３］送信手段と提示手段を有する印刷装置であるコンピュータに、
無線通信の送信先として本印刷装置を特定するための特定情報を、可視光通信によって携帯情報処理装置の受光部に送信することを前記送信手段に行わせることと、
前記可視光通信によって前記特定情報を前記携帯情報処理装置に送信する場合は、ユーザーが可視光を前記携帯情報処理装置の受光部に当てる動作の示唆を提示することを前記提示手段に行わせること
を実行させるための印刷処理プログラム。
【０３１６】
［Ｄ３４］第１受信手段と第２受信手段とリスト管理手段を有する携帯情報処理装置であるコンピュータに、
無線通信の送信先として印刷装置を特定するための特定情報を、可視光通信によって受信することを前記第１受信手段に行わせることと、
前記特定情報を、前記無線通信によって受信することを前記第２受信手段に行わせることと、
前記第１受信手段で前記特定情報を受信した場合、前記無線通信の送信先として印刷装置を選択するための選択リストに受信した前記特定情報を追加しないことを前記リスト管理手段に行わせること
を実行させるための携帯情報処理プログラム。
【０３１７】
そして、前述の発明は、以下の効果を有する。
［Ｄ１］の印刷装置によれば、印刷装置を特定するための情報を送信するために、印刷装置の撮像用照明部が可視光通信の発光部を兼ねることができる。
【０３１８】
［Ｄ２］の印刷装置によれば、低消費電力モードを解除する場合に比べて、消費電力を低くすることができる。
【０３１９】
［Ｄ３］の印刷装置によれば、低消費電力モードを解除する場合に比べて、消費電力を低くすることができる。
【０３２０】
［Ｄ４］の印刷装置によれば、印刷装置を特定するための情報を送信するために、印刷装置の撮像用照明部が可視光通信の発光部を兼ねることができる。
【０３２１】
［Ｄ５］の印刷装置によれば、撮像手段として、検知用撮像手段又は顔撮像手段を用いることができる。
【０３２２】
［Ｄ６］の印刷装置によれば、発光を停止しない場合に比べて、消費電力を低くすることができる。
【０３２３】
［Ｄ７］の印刷装置によれば、可視光通信によって送信する際に、ユーザーは実施すべき動作がわかりやすくなる。
【０３２４】
［Ｄ８］の印刷装置によれば、発光を停止しない場合に比べて、消費電力を低くすることができる。
【０３２５】
［Ｄ９］の印刷装置によれば、携帯情報処理装置から可視光通信によって、本印刷装置を特定するための情報の送信指示を受信した場合、可視光通信を開始することができる。
【０３２６】
［Ｄ１０］の印刷装置によれば、可視光通信によって、本印刷装置の特性又は状態を送信することができる。
【０３２７】
［Ｄ１１］の印刷装置によれば、印刷指示とともに、可視光通信によって印刷装置を特定するための情報を受信したことによって通信を行っていることを示す情報を受信した場合に、その印刷指示にしたがって印刷するように制御することができる。
【０３２８】
［Ｄ１２］の印刷装置によれば、印刷指示とともに、可視光通信によって印刷装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【０３２９】
［Ｄ１３］の印刷装置によれば、可視光通信によって、本印刷装置と通信を行うための印刷装置を特定するための情報を送信することができる。
【０３３０】
［Ｄ１４］の印刷装置によれば、無線通信として、可視光通信とは異なる通信を用いることができる。
【０３３１】
［Ｄ１５］の携帯情報処理装置によれば、可視光通信によって受信した特定情報を選択リストに含めないようにすることができる。
【０３３２】
［Ｄ１６］の携帯情報処理装置によれば、無線通信によって受信した特定情報を選択リストに含めるようにすることができる。
【０３３３】
［Ｄ１７］の携帯情報処理装置によれば、無線通信によって印刷指示を印刷装置に送信することができる。
【０３３４】
［Ｄ１８］の携帯情報処理装置によれば、印刷装置を選択する操作を受け付けることなく、印刷指示を印刷装置に送信することができる。
【０３３５】
［Ｄ１９］の携帯情報処理装置によれば、情報を受信した場合は、可視光通信の受信を停止することができる。
【０３３６】
［Ｄ２０］の携帯情報処理装置によれば、印刷装置の特性又は状態にしたがって、印刷指示を生成することができる。
【０３３７】
［Ｄ２１］の携帯情報処理装置によれば、可視光通信によって印刷装置を特定するための情報を受信したことによって通信を行っていることを示す情報を印刷指示とともに送信することができる。
【０３３８】
［Ｄ２２］の携帯情報処理装置によれば、可視光通信によって印刷装置を特定するための情報を受信する際に、ユーザーは実施すべき動作がわかりやすくなる。
【０３３９】
［Ｄ２３］の携帯情報処理装置によれば、送信手段による送信の後に、第１受信手段によって受信した印刷装置を特定するための情報を削除することができる。
【０３４０】
［Ｄ２４］の携帯情報処理装置によれば、無線通信として、可視光通信とは異なる通信を用いることができる。
【０３４１】
［Ｄ２５］の印刷システムによれば、印刷装置を特定するための情報を送信するために、印刷装置の撮像用照明部が可視光通信の発光部を兼ねることができる。
【０３４２】
［Ｄ２６］の印刷システムによれば、低消費電力モードを解除する場合に比べて、消費電力を低くすることができる。
【０３４３】
［Ｄ２７］の印刷システムによれば、低消費電力モードを解除する場合に比べて、消費電力を低くすることができる。
【０３４４】
［Ｄ２８］の印刷システムによれば、可視光通信によって送信する際に、ユーザーは実施すべき動作がわかりやすくなる。
【０３４５】
［Ｄ２９］の印刷システムによれば、可視光通信によって受信した特定情報を選択リストに含めないようにすることができる。
【０３４６】
［Ｄ３０］の印刷処理プログラムによれば、印刷装置を特定するための情報を送信するために、印刷装置の撮像用照明部が可視光通信の発光部を兼ねることができる。
【０３４７】
［Ｄ３１］の印刷処理プログラムによれば、低消費電力モードを解除する場合に比べて、消費電力を低くすることができる。
【０３４８】
［Ｄ３２］の印刷処理プログラムによれば、低消費電力モードを解除する場合に比べて、消費電力を低くすることができる。
【０３４９】
［Ｄ３３］の印刷処理プログラムによれば、可視光通信によって送信する際に、ユーザーは実施すべき動作がわかりやすくなる。
【０３５０】
［Ｄ３４］の携帯情報処理プログラムによれば、可視光通信によって受信した特定情報を選択リストに含めないようにすることができる。
【符号の説明】
【０３５１】
１００…携帯端末
１０５…可視光通信モジュール
１０７ａ…撮像モジュール
１０７ｂ…撮像用照明モジュール
１１０…通信モジュール
１１５…通信制御モジュール
１２０…ユーザーインタフェースモジュール
１２５…ファイル記憶モジュール
１３０…印刷装置リスト管理モジュール
１５０…印刷装置
１５５…可視光通信モジュール
１５７ａ…撮像モジュール
１５７ｂ…撮像用照明モジュール
１６０…通信モジュール
１６５…通信制御モジュール
１７０…ユーザーインタフェースモジュール
１７５…印刷制御モジュール
１８０…ファイル記憶モジュール
１８５…印刷モジュール
１９０…発光制御モジュール
１９５…接近検知モジュール
２２０…携帯端末置場
２２５、２３０、２５０、２５５…可視光通信装置
２６０…カメラ
３１０…所在検知用センサー
３２０…接近検知用カメラ
３３０…接近検知用照明
３４０…顔撮像用カメラ
３５０…顔撮像用照明
３９０…ユーザー
【図１】
2018079682.tif 000003
【図２】
2018079682.tif 000004
【図３】
2018079682.tif 000005
【図４】
2018079682.tif 000006
【図５】
2018079682.tif 000007
【図６】
2018079682.tif 000008
【図７】
2018079682.tif 000009
【図８】
2018079682.tif 000010
【図９】
2018079682.tif 000011
【図１０】
2018079682.tif 000012
【図１１】
2018079682.tif 000013
【図１２】
2018079682.tif 000014
【図１３】
2018079682.tif 000015
【図１４】
2018079682.tif 000016
【図１５】
2018079682.tif 000017
【図１６】
2018079682.tif 000018
【図１７】
2018079682.tif 000019
【図１８】
2018079682.tif 000020
【図１９】
2018079682.tif 000021
【図２０】
2018079682.tif 000022
【図２１】
2018079682.tif 000023
【図２２】
2018079682.tif 000024
【図２３】
2018079682.tif 000025
【図２４】
2018079682.tif 000026
【図２５】
2018079682.tif 000027